(57)【要約】【課題】  輝度が高く面発光により名前等を表示することができる無機ＥＬシートを具備した表示装置１００を提供することである。【解決手段】  表示部Ｄｉｓが、光を透過する名前等部Ｎｍと光を透過しない背景部Ｂｇからなり、バックライト部ＢＬが、無機ＥＬシートＥＬからなり、  ＵＳＢケーブル端子Ｕｔと充電式リチウム電池Ｂａ、充電式リチウム電池ＢａとインバーターＩＶ、インバーターＩＶと変圧器Ｔｒｓ、変圧器Ｔｒｓと出力端子Ｏｔとは、相互に接続線で電気的に接続されてなり、出力端子Ｏｔと無機ＥＬシートＥＬの端子Ｅｔとは接続線で電気的に接続されてなることを特徴とする表示装置１００。【選択図】図１
2019091635.tif 000002
【特許請求の範囲】
【請求項１】
ＵＳＢケーブル端子Ｕｔと、充電式リチウム電池Ｂａと、インバーターＩＶと、変圧器Ｔｒｓと出力端子Ｏｔからなるコントローラー部ＣＵと、名前等Ｎｍを表示した表示部Ｄｉｓと、表示部Ｄｉｓを背後から照らすバックライト部ＢＬとからなる表示装置１００において、
表示部Ｄｉｓが、光を透過する名前等Ｎｍと光を透過しない背景部Ｂｇからなり、バックライト部ＢＬが、無機ＥＬシートＥＬと無機ＥＬシートＥＬの表面電極層と裏面電極層と電気的に接続されてなる電極端子Ｅｔからなると共に、
無機ＥＬシートＥＬの形状ＦＧが名前等Ｎｍを内含するように形状ＦＧの無機ＥＬシートＥＬが表示部Ｄｉｓに張り合わされてなり、
ＵＳＢケーブル端子Ｕｔと充電式リチウム電池Ｂａ、充電式リチウム電池ＢａとインバーターＩＶ、インバーターＩＶと変圧器Ｔｒｓ、変圧器Ｔｒｓと出力端子Ｏｔとは、相互に接続線で電気的に接続されてなり、出力端子Ｏｔと電極端子Ｅｔとは接続線で電気的に接続されてなることを特徴とする表示装置１００。
【請求項２】
コントローラー部ＣＵが表示装置函体９９の内側に固定され、形状ＦＧの無機ＥＬシートＥＬが張り合わされた表示部Ｄｉｓが、表示装置函体９９の外側に固定されてなることを特徴とする請求項１に記載された表示装置１００。
【請求項３】
無機ＥＬシートＥＬの形状ＦＧが、名前等Ｎｍを内含する矩形状の文字ボックスＭＢであることを特徴とする請求項１〜２の何れかに記載された表示装置１００。
【請求項４】
無機ＥＬシートＥＬの形状ＦＧが、名前等Ｎｍが所属Ｎｍと名前Ｎｍに分けられる場合、それぞれ所属Ｎｍ及び名前Ｎｍを内含する２つの矩形状の文字ボックスＭＢと、２つの文字ボックスＭＢ同士を連結するリンク体ｌｋにより形成される形状であることを特徴とする請求項１〜３の何れかに記載された表示装置１００。
【請求項５】
名前等Ｎｍを構成する文字が、連結構造でない場合は、連結構造である文字要素同士をリンク体ｌｋにより連結して連結構造の文字を作成し、連結構造である場合は、そのままの文字とし、次に、隣接する連結構造の文字同士をリンク体ｌｋにより連結して連結構造の名前等とした場合において、
無機ＥＬシートＥＬの形状ＦＧが、名前等Ｎｍを構成する文字と連結構造の文字同士を連結したリンク体ｌｋと隣接する連結構造の文字同士を連結したリンク体ｌｋにより形成される形状であることを特徴とする請求項１〜４の何れかに記載された表示装置１００。
【請求項６】
表示部Ｄｉｓとバックライト部ＢＬは、表示装置函体９９から取り替え可能に設置されてなることを特徴とする請求項１〜５の何れかに記載された表示装置１００。
【請求項７】
クリップ、又は、ストラップが取付けてなることを特徴とする請求項１〜６の何れかに記載された表示装置１００。
【請求項８】
ＵＳＢケーブル端子Ｕｔと、充電式リチウム電池Ｂａと、インバーターＩＶと、変圧器Ｔｒｓと出力端子Ｏｔからなるコントローラー部ＣＵと、名前等Ｎｍを表示した表示部Ｄｉｓと、表示部Ｄｉｓを背後から照らすバックライト部ＢＬとからなる表示装置１００において、
表示部Ｄｉｓが、光を透過しない名前等Ｎｍと光を透過する背景部Ｂｇからなり、バックライト部ＢＬが、無機ＥＬシートＥＬと無機ＥＬシートＥＬの表面電極層と裏面電極層と電気的に接続されてなる電極端子Ｅｔからなると共に、
無機ＥＬシートＥＬの形状ＦＧが名前等Ｎｍを内含するように形状ＦＧの無機ＥＬシートＥＬが表示部Ｄｉｓに張り合わされてなり、
ＵＳＢケーブル端子Ｕｔと充電式リチウム電池Ｂａ、充電式リチウム電池ＢａとインバーターＩＶ、インバーターＩＶと変圧器Ｔｒｓ、変圧器Ｔｒｓと出力端子Ｏｔとは、相互に接続線で電気的に接続されてなり、出力端子Ｏｔと電極端子Ｅｔとは接続線で電気的に接続されてなることを特徴とする表示装置１００。
【請求項９】
コントローラー部ＣＵが表示装置函体９９の内側に固定され、形状ＦＧの無機ＥＬシートＥＬが張り合わされた表示部Ｄｉｓが、表示装置函体９９の外側に固定されてなることを特徴とする請求項８に記載された表示装置１００。
【請求項１０】
無機ＥＬシートＥＬの形状ＦＧが、名前等Ｎｍを内含する矩形状の文字ボックスＭＢであることを特徴とする請求項８〜９の何れかに記載された表示装置１００。
【請求項１１】
無機ＥＬシートＥＬの形状ＦＧが、名前等Ｎｍが所属Ｎｍと名前Ｎｍに分けられる場合、それぞれ所属Ｎｍ及び名前Ｎｍを内含する２つの矩形状の文字ボックスＭＢと、２つの文字ボックスＭＢ同士を連結するリンク体ｌｋにより形成される形状であることを特徴とする請求項８〜１０の何れかに記載された表示装置１００。
【請求項１２】
表示部Ｄｉｓとバックライト部ＢＬは、表示装置函体９９から取り替え可能に設置されてなることを特徴とする請求項８〜１１の何れかに記載された表示装置１００。
【請求項１３】
クリップ、又は、ストラップが取付けてなることを特徴とする請求項８〜１２の何れかに記載された表示装置１００。
【発明の詳細な説明】
【技術分野】
【０００１】
本発明は、無機ＥＬシートを具備した表示装置に関する。
【背景技術】
【０００２】
従来技術においては、例えば、ＬＥＤを具備した表示装置が考えられるが、ＬＥＤは点発光しかできず、ギラギラした感じを与えるという欠点が指摘されていた（図８の下図）。
そこで、点発光方式のＬＥＤを具備した表示装置のように、ギラギラした感じを与えない、高輝度の面発光が可能な無機ＥＬシートを備えた表示装置の出現が期待されていた（図８の上図）。
さらに、バックライトに無機ＥＬシートを用いる場合において、名前等Ｎｍ（名前等を構成する文字）の総面積をＳｎｍとし、無機ＥＬシートＥＬの形状ＦＧの総面積をＳｆｇとすると、定数η＝Ｓｆｇ／Ｓｎｍが大き過ぎる場合、無機ＥＬシートＥＬの発光エネルギーが無駄に費やされるという欠点が指摘されていた。
無機ＥＬシートＥＬの発光エネルギーが無駄に費やされることにより無機ＥＬシートＥＬの充電式リチウム電池の消費エネルギーが費やされることになるので、無機ＥＬシートＥＬの充電式リチウム電池の寿命が短くなるという欠点が指摘されていた。
【０００３】
発明者は、かかる従来技術の欠点に鑑み鋭意研究した結果、本発明を完成させた。
【先行技術文献】
【特許文献】
【０００４】
本願発明に係る表示装置について、ＦＩ、キーワード検索を行ったところ、本件発明（請求項１〜１３の何れかに記載された発明）に近い発明等記載文献は、発見されませんでしたので、特許文献の記載は省略する。
【発明の概要】
【発明が解決しようとする課題】
【０００５】
○本発明が解決しようとする第１課題
本発明が解決しようとする第１課題は、
点発光方式のＬＥＤを具備した表示装置のように、ギラギラした感じを与えない、高輝度の面発光が可能な無機ＥＬシートを備えた表示装置を提供することである。
○本発明が解決しようとする第２課題
本発明が解決しようとする第２課題は、
バックライトに無機ＥＬシートを用いる場合において、無機ＥＬシートＥＬの発光エネルギーが無駄に費やさないような無機ＥＬシートを備えた表示装置を提供することである。
○本発明が解決しようとする第３課題
本発明が解決しようとする第３課題は、
バックライトに無機ＥＬシートを用いる場合において、無機ＥＬシートＥＬの発光エネルギーを無駄に費やされることを防止して、無機ＥＬシートＥＬの充電式リチウム電池の寿命を長くした無機ＥＬシートを備えた表示装置を提供することである。
○本発明が解決しようとする第４課題
本発明が解決しようとする第４課題は、
バックライトに無機ＥＬシートを用いる場合において、名前等を構成する文字の総面積をＳｎｍとし、無機ＥＬシートＥＬの形状ＦＧの総面積をＳｆｇとした時、定数η＝Ｓｆｇ／Ｓｎｍを小さくして極力１に近づけるようにした無機ＥＬシートを具備した表示装置を提供することである（図１１）。
【課題を解決するための手段】
【０００６】
課題を解決するための手段は、本願の［特許請求の範囲］の各請求項に記載の発明である。
特許請求の範囲、明細書、図面等の用語の解釈上の疑義を解消すべく、以下用語の説明を行うこととする。
＜統一的に適用されるｘｙｚ座標系の定義＞
本発明の記載において、本発明及び本発明の構成要件について、正面図、背面図、平面図、底面図、右側面図、左側面図は統一する。
本発明の記載において、本発明及び本発明の構成要件について、ｘｙｚ座標系（右手座標系）は統一的に適用される。
ここに、ｘ方向は、左側面から右側面へ向かう方向であり、ｙ方向は、底面から平面へ向かう方向（反重力方向）であり、ｚ方向は、背面から正面へ向かう方向である。
表示部Ｄｉｓの左下の点をｚｙ座標の０点とし（図１０（Ａ）図）、無機ＥＬシートＥＬの背面の点を、ｚ座標の０点とする（図１０（Ｂ））。
なお、正面を表面、背面を裏面ともいう（特に、無機ＥＬシートＥＬ）。
そして、表示部Ｄｉｓに記載された名前等Ｎｍ、無機ＥＬシートの形状ＦＧについては、ｘｙ座標で表される２次元平面で考えるものとする。
＜用語の説明＞
○輝度とは、光源のまぶしさを示す量。広がりをもつ光源の単位面積あたりの光度で表す。単位はカンデラ毎平方メートル。
○ＵＳＢケーブル端子Ｕｃとは、シリアル転送方式のひとつであるＵＳＢ規格の機器を接続するためのケーブルの端子をいう。ＵＳＢケーブルを利用して電源からの電力も供給できる。デジタルカメラとパソコン、あるいはプリンタを接続するときにも使用されていることが特徴である。
本発明においては、ＵＳＢケーブル端子Ｕｃは、ＵＳＢケーブルにより、接続することにより、電源からの電力も供給できる端子である。
○充電式リチウム電池Ｂａとは、何回でも充電して使用が可能なリチウム二次電池をいう。
ここに、リチウムイオン二次電池は、正極と負極の間をリチウムイオンが移動することで充電や放電を行う二次電池である。正極、負極、電解質それぞれの材料は用途やメーカーによって様々であるが、代表的な構成は、正極にリチウム遷移金属複合酸化物、負極に炭素材料、電解質に有機溶媒などの非水電解質を用いる。
○インバーターＩＶとは、直流（電流）を交流（電流）に変換する装置をいう。
一般に使用される電気は、電流、電圧がつねに一定の大きさをもつ直流と、その大きさが正弦波で変化する交流とがある。
この直流と交流の２種の電気を交互に変換する場合、交流から直流にする装置を整流器（あるいは順変換器、コンバーター）といい、直流から交流にする装置をインバーター（あるいは逆変換器）という。
○変圧器Ｔｒｓとは、二つのコイル間の相互誘導を利用し、交流電圧の昇降や交流電流の増減を行う装置をいう。
○出力端子Ｏｔとは、コントローラー部ＣＵの周期的な電圧を出力する端子をいう。
○コントローラー部ＣＵとは、ＵＳＢケーブル端子Ｕｔと、充電式リチウム電池Ｂａと、インバーターＩＶと、変圧器Ｔｒｓと出力端子Ｏｔから構成され、ＵＳＢケーブルを通じて、直流電流をＵＳＢケーブル端子Ｕｔから入力して、充電式リチウム電池Ｂａへ蓄電する。充電式リチウム電池Ｂａへ充電が完了すると、ＵＳＢケーブル端子ＵｔからＵＳＢケーブルを取り外しておき、充電式リチウム電池Ｂａへ蓄電した電力をインバーターＩＶへ送り、交流電流を生じさせ、生じた交流電流の電圧を変圧器Ｔｒｓにより上げて、周期的な電圧を出力端子Ｏｔから出力させる。
○名前等Ｎｍとは、表示部Ｄｉｓに記載された文字の集合体（和集合ともいう。）をいう。
名前等とは、姓、氏名、所属、肩書等を表示する字の集合体をいう。
例えば、名前等Ｎｍが所属Ｎｍと名前Ｎｍの和集合である場合が例示される。
本発明に係る名前等Ｎｍとは、表示部Ｄｉｓに記載された文字の集合体であって、ｘｙ座標で表された画像Ｎｍ（ｘ，ｙ）をいう。Ｎｍ（ｘ，ｙ）は、名前等Ｎｍを表す２次元画像をいう（図１０）。
したがって、名前等Ｎｍとは、名前等Ｎｍをｘｙ座標で表された２次元画像Ｎｍ（ｘ，ｙ）と同義である。
名前等Ｎｍとは、名前等Ｎｍをｘｙ座標で表された２次元画像Ｎｍ（ｘ，ｙ）のことをいうものとする。
○名前Ｎｍとは、本願においては、氏名、姓、名前の何れかをいう。
○表示部Ｄｉｓとは、名前等Ｎｍが記載された部分であって、無機ＥＬシートＥＬによって表示する部分をいう。
本発明に係る表示部Ｄｉｓは、光を透過する名前等Ｎｍと光を透過しない背景部Ｂｇから構成されている。
○バックライト部ＢＬとは、表示部Ｄｉｓを背後から照らす部分をいい、バックライト部ＢＬは、無機ＥＬシートＥＬからなり、無機ＥＬシートＥＬが表示部Ｄｉｓの光を透過する名前等Ｎｍを照らす。名前等Ｎｍを透過した光は名前等Ｎｍに着色された色の光を帯びる。
○ネームプレート１００（表示装置１００）とは、名前等を表示する道具であり、本発明に係るネームプレート１００とは、ＵＳＢケーブル端子Ｕｔと、充電式リチウム電池Ｂａと、インバーターＩＶと、変圧器Ｔｒｓと出力端子Ｏｔからなるコントローラー部ＣＵと、名前等Ｎｍを表示する表示部Ｄｉｓと、表示部Ｄｉｓを背後から照らすバックライト部ＢＬとから構成される。
○ネームプレート函体９９（表示装置函体９９）とは、コントローラー部ＣＵを内側に収納し固定すると共に、重ね合された表示部Ｄｉｓとバックライト部ＢＬを外側に固定するための箱体をいう。
○無機ＥＬ（無機エレクトロルミネセンス）とは、硫化亜鉛などの無機物に電圧を加えると発光する現象をいう。また、その技術あるいは発光体のことをいう。医療機器の表示部や液晶ディスプレーのバックライトなどに使用されている。
○無機ＥＬシートＥＬとは、保護層（ラミネート）、ＩＴＯ層（表面電極層、陽極）、発光層、誘電層、裏面電極層（陰極）、保護層からなる積層シートであり、ＩＴＯ層（表面電極層、陽極）と裏面電極層（陰極）に交流電圧を加えて発光させるものである。
ここに、ＩＴＯ層（表面電極層）とは、透明電極層ともいう。発光層で発光した光が、表面側に取り出されるためには、電極層も透明である必要が有るからである。
○無機ＥＬシートＥＬの形状ＦＧとは、無機ＥＬシートＥＬの形状をｘｙ座標で表した２次元画像ＦＧ（ｘ，ｙ）をいう。
そして、無機ＥＬシートＥＬは、無機ＥＬシートＥＬの形状ＦＧに切断されて、無機ＥＬシートＥＬの形状ＦＧが名前等Ｎｍを内含するように表示部Ｄｉｓに張り合されてなる。
（１）第１の発明（請求項１に記載された発明）の場合
無機ＥＬシートＥＬの形状ＦＧとは、表示部Ｄｉｓと略合同（小さめの相似）の矩形状の２次元画像ＦＧ（ｘ，ｙ）をいう。
無機ＥＬシートＥＬの形状ＦＧは、名前等Ｎｍの各文字を内含する形状をいう。
（２）第３の発明（請求項３に記載された発明）の場合
無機ＥＬシートＥＬの形状ＦＧが、名前等Ｎｍを内含する矩形状の文字ボックスＭＢである（図４）。
（３）第４の発明（請求項４に記載された発明）の場合
無機ＥＬシートＥＬの形状ＦＧが、名前等Ｎｍが所属Ｎｍと名前Ｎｍに分けられる場合、それぞれ所属Ｎｍ及び名前Ｎｍを内含する２つの矩形状の文字ボックスＭＢと、２つの文字ボックスＭＢ同士を連結するリンク体ｌｋにより形成される形状である（図５）。
（４）第５の発明（請求項５に記載された発明）の場合
名前等Ｎｍを構成する文字が、連結構造でない場合は、連結構造である文字要素同士をリンク体ｌｋにより連結して連結構造の文字を作成し、連結構造である場合は、そのままの文字とし、次に、隣接する連結構造の文字同士をリンク体ｌｋにより連結して連結構造の名前等とした場合において、
無機ＥＬシートＥＬの形状ＦＧが、名前等Ｎｍを構成する文字と連結構造の文字同士を連結したリンク体ｌｋと隣接する連結構造の文字同士を連結したリンク体ｌｋにより形成される形状である。（図６、図７）
○定数η＝Ｓｆｇ／Ｓｎｍについて
名前等Ｎｍを構成する文字の総面積をＳｎｍとし、無機ＥＬシートＥＬの形状ＦＧの総面積をＳｆｇとした時、定数η＝Ｓｆｇ／Ｓｎｍが大き過ぎる場合、無機ＥＬシートＥＬの発光エネルギーが無駄に費やされることになる。定数η＝Ｓｆｇ／Ｓｎｍを小さくして極力１に近づけるようにした無機ＥＬシートを具備したネームプレートを提供することである（本発明の第４課題）。
○電極端子Ｅｔとは、無機ＥＬシートＥＬの表面電極層と裏面電極層と接続線により電気的に接続されてなり、かつ、コントローラー部ＣＵの力端子Ｏｔと接続線により電気的に接続されてなることにより、コントローラー部ＣＵの周期的な電圧を無機ＥＬシートＥＬの表面電極層と裏面電極層に印加する端子をいう。
○名前等Ｎｍを内含する矩形状の文字ボックスＭＢとは、ボックスの内側に名前等Ｎｍが含まれている（記載されている）ような矩形状のボックスをいう。
ここに、名前等Ｎｍとは、名前等Ｎｍをｘｙ座標で表された２次元画像Ｎｍ（ｘ，ｙ）をいい、
矩形状の文字ボックスＭＢとは、矩形状の二次元画像ＭＢ（ｘ，ｙ）をいう。
名前等Ｎｍを内含する矩形状の文字ボックスＭＢとは、次式が成立することをいう。
Ｎｍ（ｘ，ｙ）⊆ＭＢ（ｘ，ｙ）……（１）式
○名前等Ｎｍが所属Ｎｍと名前Ｎｍに分けられる場合とは、所属と名前が、例えば、２段書きされた場合、それぞれ所属Ｎｍと名前Ｎｍとすれば、名前等Ｎｍを内含する矩形状の文字ボックスＭＢの考え方が、所属Ｎｍと名前Ｎｍのそれぞれについて、適用される。
２つの文字ボックスＭＢは、連結構造であるが、リンク体ｌｋにより、２つの文字ボックスＭＢ同士が連結されることにより、全体が連結構造となる。
ここに、名前等Ｎｍとは、名前等Ｎｍをｘｙ座標で表された２次元画像Ｎｍ（ｘ，ｙ）をいい、
所属Ｎｍとは、所属Ｎｍをｘｙ座標で表された２次元画像Ｎｍ（ｘ，ｙ）をいい、
名前Ｎｍとは、名前Ｎｍをｘｙ座標で表された２次元画像Ｎｍ（ｘ，ｙ）をいう。
矩形状の文字ボックスＭＢとは、矩形状の二次元画像ＭＢ（ｘ，ｙ）をいう。
所属Ｎｍを内含する矩形状の文字ボックスＭＢとは、次式が成立することをいう。
Ｎｍ（ｘ，ｙ）⊆ＭＢ（ｘ，ｙ）……（２）式
名前Ｎｍを内含する矩形状の文字ボックスＭＢとは、次式が成立することをいう。
Ｎｍ（ｘ，ｙ）⊆ＭＢ（ｘ，ｙ）……（３）式
○リンク体ｌｋとは、
（１）連結構造でない文字ボックスＭＢ同士を連結するためのリンク体をいう。
（２）連結構造の文字要素同士を連結するためのリンク体をいう。
（３）連結構造の文字同士を連結するためのリンク体をいう。
ここに、リンク体ｌｋは、文字ボックスＭＢ同士、文字要素同士、文字同士を連結するための二次元画像ｌｋ（ｘ，ｙ）をいう。
＜無機ＥＬシートＥＬにおける連結構造の定義＞
特定形状の無機ＥＬシートＥＬにおいて、表面電極層（ＩＴＯ電極層、陽極）と裏面電極（陰極）に電気的に接続される電極端子Ｅｔに電圧を付加した場合、特定形状の無機ＥＬシートＥＬの任意の点において一定の電圧が付加されるならば、無機ＥＬシートＥＬの特定形状は、連結構造であるという。
特定形状の無機ＥＬシートＥＬにおいて、電極層の任意の２点を選んで電池を接続した場合電流が流れるならば、無機ＥＬシートＥＬの特定形状は、連結構造であるという。
上記の２つの定義は同義である
＜名前等Ｎｍにおける連結構造の定義＞
●２次元画像Ｇ（ｘ，ｙ）とは、Ｇなる概念をｘｙ座標で表した２次元画像をいう。
●２次元画像Ｇ１（ｘ，ｙ）とは、Ｇ１なる概念をｘｙ座標で表した２次元画像をいう。
●２次元画像Ｇ２（ｘ，ｙ）とは、Ｇ２なる概念をｘｙ座標で表した２次元画像をいう。
○ｘｙ座標で表された２次元画像Ｇ（ｘ，ｙ）が連結構造であるとは、２次元画像Ｇ（ｘ，ｙ）内に任意の点Ｐ１（ｘ１，ｙ１）とＰ２（ｘ２，ｙ２）を選んだ場合（点Ｐ１と点Ｐ２は同一の点ではない。）、点Ｐ１から点２へ至る通路を２次元画像Ｇ（ｘ，ｙ）内に選ぶことができるならば、２次元画像Ｇ（ｘ，ｙ）が連結構造であるという。
すなわち、ｘｙ座標で表された２次元画像Ｇ（ｘ，ｙ）を導電性の薄い平面版で作製した場合において、任意の点Ｐ１とＰ２間に電池を接続した場合電流が流れるならば、ｘｙ座標で表された２次元画像Ｇ（ｘ，ｙ）は、連結構造であるという。
○ｘｙ座標で表された２次元画像Ｇ（ｘ，ｙ）が連結構造でないとは、２次元画像Ｇ（ｘ，ｙ）内にある点Ｐ１（ｘ１，ｙ１）とあるＰ２（ｘ２，ｙ２）を選んだ場合（点Ｐ１と点Ｐ２は同一の点ではない。）、点Ｐ１から点２へ至る通路を２次元画像Ｇ（ｘ，ｙ）内に選ぶことができない場合をいう。
すなわち、ｘｙ座標で表された２次元画像Ｇ（ｘ，ｙ）を導電性の薄い平面版で作製した場合において、ある点Ｐ１とＰ２間に電池を接続した場合、電流が流れないならば、ｘｙ座標で表された２次元画像Ｇ（ｘ，ｙ）は、連結構造でないという。
○ｘｙ座標で表された２次元画像Ｇ１（ｘ，ｙ）とｘｙ座標で表された２次元画像Ｇ２（ｘ，ｙ）が連結構造であるとは、２次元画像Ｇ（ｘ，ｙ）内に任意の点Ｐ１（ｘ１，ｙ１）を選び、２次元画像Ｇ（ｘ，ｙ）内に任意のＰ２（ｘ２，ｙ２）を選んだ場合（点Ｐ１と点Ｐ２は同一の点ではない。）、
点Ｐ１から点２へ至る通路を２次元画像Ｇ１（ｘ，ｙ）と２次元画像Ｇ２（ｘ，ｙ）の和集合内に選ぶことができる場合をいう。
すなわち、ｘｙ座標で表された２次元画像Ｇ１（ｘ，ｙ）と２次元画像Ｇ２（ｘ，ｙ）を導電性の薄い平面版で作製した場合において、２次元画像Ｇ１（ｘ，ｙ）内の任意の点Ｐ１と２次元画像Ｇ２（ｘ，ｙ）内の任意のＰ２間に電池を接続した場合電流が流れる場合、ｘｙ座標で表された２次元画像Ｇ１（ｘ，ｙ）と２次元画像Ｇ１（ｘ，ｙ）は、連結構造であるという。
○ｘｙ座標で表された２次元画像Ｇ１（ｘ，ｙ）とｘｙ座標で表された２次元画像Ｇ２（ｘ，ｙ）が連結構造でないとは、２次元画像Ｇ（ｘ，ｙ）内に任意の点Ｐ１（ｘ１，ｙ１）を選び、２次元画像Ｇ（ｘ，ｙ）内に任意のＰ２（ｘ２，ｙ２）を選んだ場合（点Ｐ１と点Ｐ２は同一の点ではない。）、
点Ｐ１から点２へ至る通路を２次元画像Ｇ１（ｘ，ｙ）と２次元画像Ｇ２（ｘ，ｙ）の和集合内に選ぶことができないならば、２次元画像Ｇ１（ｘ，ｙ）と２次元画像Ｇ２（ｘ，ｙ）は連結構造でないという。
すなわち、ｘｙ座標で表された２次元画像Ｇ１（ｘ，ｙ）と２次元画像Ｇ２（ｘ，ｙ）を導電性の薄い平面版で作製した場合において、２次元画像Ｇ１（ｘ，ｙ）内の任意の点Ｐ１と２次元画像Ｇ２（ｘ，ｙ）内の任意の点Ｐ２間に電池を接続した場合電流が流れない２点Ｐ１、Ｐ２が存在する場合、２次元画像Ｇ１（ｘ，ｙ）と２次元画像Ｇ１（ｘ，ｙ）は連結構造でないという。
○名前等Ｎｍを構成する文字が、連結構造の文字である場合について
例えば、名前等Ｎｍ（例えば、「タイズ株式会社  林  敏朗」等のｘｙ座標で表された２次元画像Ｍｎ（ｘ，ｙ））を構成する文字（例えば、「イ」のｘｙ座標で表された２次元画像Ｇ（ｘ，ｙ）は、連結構造である。
○名前等Ｎｍを構成する文字が、連結構造の文字でない場合について
例えば、名前等Ｎｍ（例えば、「タイズ株式会社  林  敏朗」のｘｙ座標で表された２次元画像Ｍｎ（ｘ，ｙ））を構成する文字（例えば、「林」、「敏」、「朗」のｘｙ座標で表された２次元画像Ｇ（ｘ，ｙ）は、連結構造でない。
○文字１文字（ｘｙ座標で表される２次元画像））が連結構造でない場合、文字要素同士をリンク体ｌｋで連結して連結構造の文字にすることができることについて
連結構造でない文字（例えば、「林」の文字、「木」と「木」の文字要素は分離されている。）は、文字要素同士〈「木」と「木」〉をリンク体ｌｋ（ｘｙ座標で表される２次元画像））で連結して連結構造の文字（ｘｙ座標で表される２次元画像））にすることができる（図６の左側の図）。
○連結構造の文字（文字要素同士を連結化して連結構造の文字とした場合を含む。）を連結化して連結構造の名前等（ｘｙ座標で表される２次元画像）とすることについて
前述したように、名前等Ｎｍを構成する文字（ｘｙ座標で表される２次元画像）は、全て連結構造の文字（文字要素同士を連結化して連結構造の文字とした場合を含む。）とすることができる。
文字要素同士を連結化するリンク体ｌｋを付加された文字要素と考えれば、全ての文字は連結構造であると考えることができる。
連結構造である文字（ｘｙ座標で表される２次元画像）同士をリンク体ｌｋ（ｘｙ座標で表される２次元画像）で、連結すれば、連結構造の名前等Ｎｍ（ｘ，ｙ）とすることができる（図７）。
○文字を連結化して連結化した文字とし、連結化した文字を連結して、名前等とすることについて
名前等Ｎｍを構成する文字（ｘｙ座標で表される２次元画像）が、連結構造の文字でない場合は、連結構造である文字要素（ｘｙ座標で表される２次元画像）に分解することができ、文字要素同士をリンク体ｌｋ（ｘｙ座標で表される２次元画像）で連結して連結構造の文字（ｘｙ座標で表される２次元画像）にすることができ、
名前等Ｎｍを構成する文字（ｘｙ座標で表される２次元画像）が連結構造の文字である場合は、そのままで既に連結構造の文字となっており、名前等Ｎｍを構成する文字（ｘｙ座標で表される２次元画像）は全て連結構造の文字と取り扱うことができ、各連結構造の各文字（ｘｙ座標で表される２次元画像）をリンク体ｌｋ（ｘｙ座標で表される２次元画像）で連結すれば、連結構造の名前等（全体の文字）が形成される。
形成された連結構造の名前等（全体の文字）の形状（ｘｙ座標で表される２次元画像）は、名前等（ｘｙ座標で表される２次元画像）と文字要素（ｘｙ座標で表される２次元画像）同士を連結するリンク体ｌｋ（ｘｙ座標で表される２次元画像）と文字（ｘｙ座標で表される２次元画像）同士を連結するリンク体ｌｋ（ｘｙ座標で表される２次元画像）により形成された形状（ｘｙ座標で表される２次元画像）である。
すなわち、
形成された連結構造の名前等（全体の文字）の形状（ｘｙ座標で表される２次元画像）は、名前等（ｘｙ座標で表される２次元画像）と文字要素（ｘｙ座標で表される２次元画像）同士を連結するリンク体ｌｋと文字同士を連結するリンク体ｌｋ（ｘｙ座標で表される２次元画像）のそれぞれの形状の和集合である。
■形状ＦＧの無機ＥＬシートＥＬとは、連結構造の形状ＦＧの厚さδＥ（ｍｍ）の無機ＥＬシートＥＬの意味合いであり、連結構造の形状ＦＧに該当する部分は切断後除去されている。
＜記号の説明＞
○Ｎｍ（ｘ，ｙ）…名前等Ｎｍをｘｙ座標で表された２次元画像をいう。
○ＦＧ（ｘ，ｙ）…名前等Ｎｍをｘｙ座標で表された２次元画像をいう。
○ｌｋ（ｘ，ｙ）…リンク体をｘｙ座標で表される２次元画像をいう。
○画像Ｇ（ｘ，ｙ）とは、画像Ｇをｘｙ座標で表された２次元画像である。
画像Ｇ（ｘ，ｙ）が連結構造であるか否かの判定は、ＦＧ（ｘ，ｙ）、文字要素、文字、連結化された文字要素、連結化された文字、文字ボックスＭＢ（ｘ，ｙ）、連結化された文字ボックス等が連結構造であるか否かの判定に適用できる。
○画像Ｇ１（ｘ，ｙ）、画像Ｇ２（ｘ，ｙ）とは、共に画像Ｇ１、画像Ｇ２をｘｙ座標で表された２次元画像である。
画像Ｇ１（ｘ，ｙ）と画像Ｇ１（ｘ，ｙ）が連結構造であるか否かの判定は、文字要素同士、文字同士、文字ボックスＭＢ同士等が連結構造であるか否かの判定に適用できる。
＜請求項３記載発明の説明＞
請求項３記載発明の説明を図４に照らして具体的に説明する。
請求項３記載発明は、無機ＥＬシートＥＬの形状ＦＧを特定する意味で重要である。名前等Ｎｍは、タイズ株式会社／林  敏朗の２段書の全文字である。そして、矩形状の文字ボックスＭＢは、上記全文字を内含してなる。当該記述は、矩形状の文字ボックスＭＢと名前等Ｎｍとの幾何学的関係を示している。すなわち、矩形状の文字ボックスＭＢの大きさが、矩形状の文字ボックスＭＢが名前等Ｎｍの全文字を内含する大きさであることを示している。
そして、無機ＥＬシートＥＬは、矩形状の文字ボックスＭＢの形状になるよう切断されて、名前等Ｎｍの全文字を内含するように、表示部Ｄｉｓに張り合わされる。
＜請求項４記載発明の説明＞
請求項４記載発明の説明を図５に照らして具体的に説明する。
請求項４記載発明は、名前等Ｎｍが所属Ｎｍと名前Ｎｍに分けられる場合において、無機ＥＬシートＥＬの形状ＦＧを特定する意味で重要である。
名前等Ｎｍが所属Ｎｍと名前Ｎｍに分けられる場合、それぞれ所属Ｎｍ及び名前Ｎｍを、請求項３記載発明における名前等Ｎｍに置き換えれば、請求項３記載発明と同様にして、それぞれ所属Ｎｍ及び名前Ｎｍを内含する２つの矩形状の文字ボックスＭＢが特定される。
２つの文字ボックスＭＢは矩形状であり個々には連結構造であるが、全体としては上下に分離されるので連結構造ではない。２つの文字ボックスＭＢ同士を連結するリンク体ｌｋにより形成される形状は、連結構造となっている。
＜請求項５記載発明の説明＞
請求項５記載発明の説明を図６、７に照らして具体的に説明する。
請求項５記載発明は、本発明の第４課題を達成する場合において、無機ＥＬシートＥＬの形状ＦＧを特定する意味で重要である。
名前等Ｎｍを構成する文字が、連結構造でない場合は、連結構造である文字要素同士をリンク体ｌｋにより連結して連結構造の文字を作成することができ、連結構造である場合は、そのままの文字とすることができるので、名前等Ｎｍを構成する文字は全て連結構造の文字とすることができる。
次に、隣接する連結構造の文字同士を連結するリンク体ｌｋにより形成される形状である場合において、形成される形状は、連結構造の文字同士を連結することにより連結構造となっている。
そして、無機ＥＬシートＥＬは、上記、形成される形状になるよう切断されて、名前等Ｎｍの全文字を内含するように、表示部Ｄｉｓに張り合わされる。
＜請求項８記載発明の説明＞
請求項８記載発明の説明を図４に照らして具体的に説明する。
請求項８記載発明は、請求項１記載発明において、光を透過する名前等Ｎｍとあるのを光を透過する名前等Ｎｍとし、光を透過しない背景部Ｂｇとあるのを、光を透過する背景部Ｂｇとしたものであり、その余の発明構成要件は、請求項１記載発明の発明構成要件と同じである。
＜用語の説明（その２）＞…表示装置１００が非常灯１０１、誘導灯１０２等である場合
■表示装置１００とは、ネームプレート１００、非常灯１０１、誘導灯１０２等を含み、文字及び／又は図形を表示する表示手段をいう。
■名前等Ｎｍとは、表示部Ｄｉｓに記載された文字及び／又は図形の集合体（和集合ともいう。）をいう。
例えば、名前等Ｎｍが文字及び図形の和集合である場合が例示される。
本発明に係る名前等Ｎｍとは、表示部Ｄｉｓに記載された文字の集合体であって、ｘｙ座標で表された画像Ｎｍ（ｘ，ｙ）をいう。Ｎｍ（ｘ，ｙ）は、名前等Ｎｍを表す２次元画像をいう（図１０）。
したがって、名前等Ｎｍとは、名前等Ｎｍをｘｙ座標で表された２次元画像Ｎｍ（ｘ，ｙ）と同義である。
名前等Ｎｍとは、名前等Ｎｍをｘｙ座標で表された２次元画像Ｎｍ（ｘ，ｙ）のことをいうものとする。
■「無機ＥＬシートＥＬの形状ＦＧが、名前等Ｎｍが所属Ｎｍと名前Ｎｍに分けられる場合、それぞれ所属Ｎｍ及び名前Ｎｍを内含する２つの矩形状の文字ボックスＭＢと、２つの文字ボックスＭＢ同士を連結するリンク体ｌｋにより形成される形状であることを特徴とする請求項１〜３の何れかに記載された表示装置１００。」とあるのは、「無機ＥＬシートＥＬの形状ＦＧが、文字と図形に分けられる場合、それぞれ文字及び図形を内含する２つの矩形状の文字ボックスＭＢと、２つの文字ボックスＭＢ同士を連結するリンク体ｌｋにより形成される形状であることを特徴とする請求項１〜３の何れかに記載された表示装置１００。」とする。
■「無機ＥＬシートＥＬの形状ＦＧが、名前等Ｎｍが所属Ｎｍと名前Ｎｍに分けられる場合、それぞれ所属Ｎｍ及び名前Ｎｍを内含する２つの矩形状の文字ボックスＭＢと、２つの文字ボックスＭＢ同士を連結するリンク体ｌｋにより形成される形状であることを特徴とする請求項８〜１０の何れかに記載された表示装置１００。」とあるのを、「無機ＥＬシートＥＬの形状ＦＧが、文字と図形に分けられる場合、それぞれ文字及び図形を内含する２つの矩形状の文字ボックスＭＢと、２つの文字ボックスＭＢ同士を連結するリンク体ｌｋにより形成される形状であることを特徴とする請求項８〜１０の何れかに記載された表示装置１００。」とする。
課題を解決するための手段は、本願の特許請求の範囲の各請求項に記載の発明であり、その具体的な解決手段は、以下の通りである。
○第１の発明（請求項１に記載の発明）
上記の課題を解決するための第１の発明（請求項１に記載の発明）は、
ＵＳＢケーブル端子Ｕｔと、充電式リチウム電池Ｂａと、インバーターＩＶと、変圧器Ｔｒｓと出力端子Ｏｔからなるコントローラー部ＣＵと、名前等Ｎｍを表示した表示部Ｄｉｓと、表示部Ｄｉｓを背後から照らすバックライト部ＢＬとからなる表示装置１００において、
表示部Ｄｉｓが、光を透過する名前等Ｎｍと光を透過しない背景部Ｂｇからなり、バックライト部ＢＬが、無機ＥＬシートＥＬと無機ＥＬシートＥＬの表面電極層と裏面電極層と電気的に接続されてなる電極端子Ｅｔからなると共に、
無機ＥＬシートＥＬの形状ＦＧが名前等Ｎｍを内含するように形状ＦＧの無機ＥＬシートＥＬが表示部Ｄｉｓに張り合わされてなり、
ＵＳＢケーブル端子Ｕｔと充電式リチウム電池Ｂａ、充電式リチウム電池ＢａとインバーターＩＶ、インバーターＩＶと変圧器Ｔｒｓ、変圧器Ｔｒｓと出力端子Ｏｔとは、相互に接続線で電気的に接続されてなり、出力端子Ｏｔと電極端子Ｅｔとは接続線で電気的に接続されてなることを特徴とする表示装置１００である。
○第２の発明（請求項２に記載の発明）
上記の課題を解決するための第２の発明（請求項２に記載の発明）は、
コントローラー部ＣＵが表示装置函体９９の内側に固定され、形状ＦＧの無機ＥＬシートＥＬが張り合わされた表示部Ｄｉｓが、表示装置函体９９の外側に固定されてなることを特徴とする請求項１に記載された表示装置１００である。
○第３の発明（請求項３に記載の発明）
上記の課題を解決するための第３の発明（請求項３に記載の発明）は、
無機ＥＬシートＥＬの形状ＦＧが、名前等Ｎｍを内含する矩形状の文字ボックスＭＢであることを特徴とする請求項１〜２の何れかに記載された表示装置１００である。
○第４の発明（請求項４に記載の発明）
上記の課題を解決するための第４の発明（請求項４に記載の発明）は、
無機ＥＬシートＥＬの形状ＦＧが、名前等Ｎｍが所属Ｎｍと名前Ｎｍに分けられる場合、それぞれ所属Ｎｍ及び名前Ｎｍを内含する２つの矩形状の文字ボックスＭＢと、２つの文字ボックスＭＢ同士を連結するリンク体ｌｋにより形成される形状であることを特徴とする請求項１〜３の何れかに記載された表示装置１００である。
○第５の発明（請求項５に記載の発明）
上記の課題を解決するための第５の発明（請求項５に記載の発明）は、
名前等Ｎｍを構成する文字が、連結構造でない場合は、連結構造である文字要素同士をリンク体ｌｋにより連結して連結構造の文字を作成し、連結構造である場合は、そのままの文字とし、次に、隣接する連結構造の文字同士をリンク体ｌｋにより連結して連結構造の名前等とした場合において、
無機ＥＬシートＥＬの形状ＦＧが、名前等Ｎｍを構成する文字と連結構造の文字同士を連結したリンク体ｌｋと隣接する連結構造の文字同士を連結したリンク体ｌｋにより形成される形状であることを特徴とする請求項１〜４の何れかに記載された表示装置１００である。
○第６の発明（請求項６に記載の発明）
上記の課題を解決するための第６の発明（請求項６に記載の発明）は、
表示部Ｄｉｓとバックライト部ＢＬは、表示装置函体９９から取り替え可能に設置されてなることを特徴とする請求項１〜５の何れかに記載された表示装置１００である。
○第７の発明（請求項７に記載の発明）
上記の課題を解決するための第７の発明（請求項７に記載の発明）は、
クリップ、又は、ストラップが取付けてなることを特徴とする請求項１〜６の何れかに記載された表示装置１００である。
○第８の発明（請求項８に記載の発明）
上記の課題を解決するための第８の発明（請求項８に記載の発明）は、
ＵＳＢケーブル端子Ｕｔと、充電式リチウム電池Ｂａと、インバーターＩＶと、変圧器Ｔｒｓと出力端子Ｏｔからなるコントローラー部ＣＵと、名前等Ｎｍを表示した表示部Ｄｉｓと、表示部Ｄｉｓを背後から照らすバックライト部ＢＬとからなる表示装置１００において、
表示部Ｄｉｓが、光を透過しない名前等Ｎｍと光を透過する背景部Ｂｇからなり、バックライト部ＢＬが、無機ＥＬシートＥＬと無機ＥＬシートＥＬの表面電極層と裏面電極層と電気的に接続されてなる電極端子Ｅｔからなると共に、
無機ＥＬシートＥＬの形状ＦＧが名前等Ｎｍを内含するように形状ＦＧの無機ＥＬシートＥＬが表示部Ｄｉｓに張り合わされてなり、
ＵＳＢケーブル端子Ｕｔと充電式リチウム電池Ｂａ、充電式リチウム電池ＢａとインバーターＩＶ、インバーターＩＶと変圧器Ｔｒｓ、変圧器Ｔｒｓと出力端子Ｏｔとは、相互に接続線で電気的に接続されてなり、出力端子Ｏｔと電極端子Ｅｔとは接続線で電気的に接続されてなることを特徴とする表示装置１００である。
○第９の発明（請求項９に記載の発明）
上記の課題を解決するための第９の発明（請求項９に記載の発明）は、
コントローラー部ＣＵが表示装置函体９９の内側に固定され、形状ＦＧの無機ＥＬシートＥＬが張り合わされた表示部Ｄｉｓが、表示装置函体９９の外側に固定されてなることを特徴とする請求項８に記載された表示装置１００である。
○第１０の発明（請求項１０に記載の発明）
上記の課題を解決するための第１０の発明（請求項１０に記載の発明）は、
無機ＥＬシートＥＬの形状ＦＧが、名前等Ｎｍを内含する矩形状の文字ボックスＭＢであることを特徴とする請求項８〜９の何れかに記載された表示装置１００である。
○第１１の発明（請求項１１に記載の発明）
上記の課題を解決するための第１１の発明（請求項１１に記載の発明）は、
無機ＥＬシートＥＬの形状ＦＧが、名前等Ｎｍが所属Ｎｍと名前Ｎｍに分けられる場合、それぞれ所属Ｎｍ及び名前Ｎｍを内含する２つの矩形状の文字ボックスＭＢと、２つの文字ボックスＭＢ同士を連結するリンク体ｌｋにより形成される形状であることを特徴とする請求項８〜１０の何れかに記載された表示装置１００である。
○第１２の発明（請求項１２に記載の発明）
上記の課題を解決するための第１２の発明（請求項１２に記載の発明）は、
表示部Ｄｉｓとバックライト部ＢＬは、表示装置函体９９から取り替え可能に設置されてなることを特徴とする請求項８〜１１の何れかに記載された表示装置１００である。
○第１３の発明（請求項１３に記載の発明）
上記の課題を解決するための第１３の発明（請求項１３に記載の発明）は、
クリップ、又は、ストラップが取付けてなることを特徴とする請求項８〜１２の何れかに記載された表示装置１００である。
【発明の効果】
【０００７】
本発明に係る表示装置１００は、上記のような特徴的構成要件から構成され、特徴的構成要件に応じた、以下のような本願発明特有の効果を奏する。
また、上記の各発明に応じた、上記のような特徴的構成要件から構成された表示装置１００によれば、本願発明の課題を十分解消することができた。
○第１の発明の効果
第１の発明によれば、
ＵＳＢケーブル端子Ｕｔと、充電式リチウム電池Ｂａと、インバーターＩＶと、変圧器Ｔｒｓと出力端子Ｏｔからなるコントローラー部ＣＵと、名前等Ｎｍを表示した表示部Ｄｉｓと、表示部Ｄｉｓを背後から照らすバックライト部ＢＬとからなる表示装置１００において、
表示部Ｄｉｓが、光を透過する名前等Ｎｍと光を透過しない背景部Ｂｇからなり、バックライト部ＢＬが、無機ＥＬシートＥＬと無機ＥＬシートＥＬの表面電極層と裏面電極層と電気的に接続されてなる電極端子Ｅｔからなると共に、
無機ＥＬシートＥＬの形状ＦＧが名前等Ｎｍを内含するように形状ＦＧの無機ＥＬシートＥＬが表示部Ｄｉｓに張り合わされてなり、
ＵＳＢケーブル端子Ｕｔと充電式リチウム電池Ｂａ、充電式リチウム電池ＢａとインバーターＩＶ、インバーターＩＶと変圧器Ｔｒｓ、変圧器Ｔｒｓと出力端子Ｏｔとは、相互に接続線で電気的に接続されてなり、出力端子Ｏｔと電極端子Ｅｔとは接続線で電気的に接続されてなることという特徴的な構成要件により、本発明が解決しようとする第１課題〜第４課題を達成することができ、当業者予測不可能な顕著な効果を奏することができた。
○第２の発明の効果
第２の発明によれば、
コントローラー部ＣＵが表示装置函体９９の内側に固定され、形状ＦＧの無機ＥＬシートＥＬが張り合わされた表示部Ｄｉｓが、表示装置函体９９の外側に固定されてなることという特徴的な構成要件により、本発明が解決しようとする第１課題〜第４課題を達成することができ、当業者予測不可能な顕著な効果を奏することができた。
○第３の発明の効果
第３の発明によれば、
無機ＥＬシートＥＬの形状ＦＧが、名前等Ｎｍを内含する矩形状の文字ボックスＭＢであることという特徴的な構成要件により、本発明が解決しようとする第１課題〜第４課題を達成することができ、当業者予測不可能な顕著な効果を奏することができた。
○第４の発明の効果
第４の発明によれば、
無機ＥＬシートＥＬの形状ＦＧが、名前等Ｎｍが所属Ｎｍと名前Ｎｍに分けられる場合、それぞれ所属Ｎｍ及び名前Ｎｍを内含する２つの矩形状の文字ボックスＭＢと、２つの文字ボックスＭＢ同士を連結するリンク体ｌｋにより形成される形状であることという特徴的な構成要件により、本発明が解決しようとする第１課題〜第４課題を達成することができ、当業者予測不可能な顕著な効果を奏することができた。
○第５の発明の効果
第５の発明によれば、
名前等Ｎｍを構成する文字が、連結構造でない場合は、連結構造である文字要素同士をリンク体ｌｋにより連結して連結構造の文字を作成し、連結構造である場合は、そのままの文字とし、次に、隣接する連結構造の文字同士をリンク体ｌｋにより連結して連結構造の名前等とした場合において、
無機ＥＬシートＥＬの形状ＦＧが、名前等Ｎｍを構成する文字と連結構造の文字同士を連結したリンク体ｌｋと隣接する連結構造の文字同士を連結したリンク体ｌｋにより形成される形状であることという特徴的な構成要件により、本発明が解決しようとする第１課題〜第４課題を達成することができ、当業者予測不可能な顕著な効果を奏することができた。
○第６の発明の効果
第６の発明によれば、
表示部Ｄｉｓとバックライト部ＢＬは、表示装置函体９９から取り替え可能に設置されてなることという特徴的な構成要件により、本発明が解決しようとする第１課題〜第４課題を達成することができ、当業者予測不可能な顕著な効果を奏することができた。
○第７の発明の効果
第７の発明によれば、
クリップ、又は、ストラップが取付けてなることという特徴的な構成要件により、本発明が解決しようとする第１課題〜第４課題を達成することができ、当業者予測不可能な顕著な効果を奏することができた。
○第８の発明の効果
第８の発明によれば、
ＵＳＢケーブル端子Ｕｔと、充電式リチウム電池Ｂａと、インバーターＩＶと、変圧器Ｔｒｓと出力端子Ｏｔからなるコントローラー部ＣＵと、名前等Ｎｍを表示した表示部Ｄｉｓと、表示部Ｄｉｓを背後から照らすバックライト部ＢＬとからなる表示装置１００において、
表示部Ｄｉｓが、光を透過しない名前等Ｎｍと光を透過する背景部Ｂｇからなり、バックライト部ＢＬが、無機ＥＬシートＥＬと無機ＥＬシートＥＬの表面電極層と裏面電極層と電気的に接続されてなる電極端子Ｅｔからなると共に、
無機ＥＬシートＥＬの形状ＦＧが名前等Ｎｍを内含するように形状ＦＧの無機ＥＬシートＥＬが表示部Ｄｉｓに張り合わされてなり、
ＵＳＢケーブル端子Ｕｔと充電式リチウム電池Ｂａ、充電式リチウム電池ＢａとインバーターＩＶ、インバーターＩＶと変圧器Ｔｒｓ、変圧器Ｔｒｓと出力端子Ｏｔとは、相互に接続線で電気的に接続されてなり、出力端子Ｏｔと電極端子Ｅｔとは接続線で電気的に接続されてなることという特徴的な構成要件により、本発明が解決しようとする第１課題〜第４課題を達成することができ、当業者予測不可能な顕著な効果を奏することができた。
○第９の発明の効果
第９の発明によれば、
クリップ、又は、ストラップが取付けてなることという特徴的な構成要件により、本発明が解決しようとする第１課題〜第４課題を達成することができ、当業者予測不可能な顕著な効果を奏することができた。
○第１０の発明の効果
第１０の発明によれば、
無機ＥＬシートＥＬの形状ＦＧが、名前等Ｎｍを内含する矩形状の文字ボックスＭＢであることという特徴的な構成要件により、本発明が解決しようとする第１課題〜第４課題を達成することができ、当業者予測不可能な顕著な効果を奏することができた。
○第１１の発明の効果
第１１の発明によれば、
無機ＥＬシートＥＬの形状ＦＧが、名前等Ｎｍが所属Ｎｍと名前Ｎｍに分けられる場合、それぞれ所属Ｎｍ及び名前Ｎｍを内含する２つの矩形状の文字ボックスＭＢと、２つの文字ボックスＭＢ同士を連結するリンク体ｌｋにより形成される形状であることという特徴的な構成要件により、本発明が解決しようとする第１課題〜第４課題を達成することができ、当業者予測不可能な顕著な効果を奏することができた。
○第１２の発明の効果
第１２の発明によれば、
表示部Ｄｉｓとバックライト部ＢＬは、表示装置函体９９から取り替え可能に設置されてなることという特徴的な構成要件により、本発明が解決しようとする第１課題〜第４課題を達成することができ、当業者予測不可能な顕著な効果を奏することができた。
○第１３の発明の効果
第１３の発明によれば、
クリップ、又は、ストラップが取付けてなることという特徴的な構成要件により、本発明が解決しようとする第１課題〜第４課題を達成することができ、当業者予測不可能な顕著な効果を奏することができた。
【発明を実施するための最良の形態】
【０００８】
以下、本発明に係る、表示装置１００に関する最良の実施形態について、図面を参照しながら説明する。
［図１］図１は、本発明に係る表示装置１００を表す図である。（Ａ）図は、本発明に係る表示装置１００の正面図である。（Ｂ）図は、本発明に係る表示装置１００の右側面図である。（Ｃ）図は、（Ｂ）図のＡ−Ａ矢視図である。
［図２］図２は、本発明に係る無機ＥＬシートＥＬの積層構造を表す図である。
［図３］図３は、本発明に係るコントローラー部ＣＵのシステム構造を示す概要図である。
［図４］図４は、本発明（請求項３記載発明）に係る表示装置１００を表す図である。（Ａ）図は、本発明（請求項３記載発明）に係る表示装置１００の正面図である。（Ｂ）図は、本発明（請求項３記載発明）に係る表示装置１００の右側面図である。（Ｃ）図は、（Ｂ）図のＡ−Ａ矢視図である。
［図５］図５は、本発明（請求項４記載発明）に係る表示装置１００を表す図である。（Ａ）図は、本発明（請求項４記載発明）に係る表示装置１００の正面図である。（Ｂ）図は、本発明（請求項４記載発明）に係る表示装置１００の右側面図である。（Ｃ）図は、（Ｂ）図のＡ−Ａ矢視図である。
［図６］図６の左図は、本発明（請求項５記載発明）に係る表示装置１００において、連結構造でない文字の文字要素（連結構造の文字要素）同士を連結化（リンク体ｌｋにより連結すること）により、連結構造の文字にすることを示す図である。図６の右図は、本発明（請求項５記載発明）に係る表示装置１００において、最初から連結構造の文字を連結化しなくてもそのままで連結構造の文字であることを示す図である。図６は、連結化を前提とすれば、連結構造の文字として取り扱ってもよいことを示している。
［図７］図７は、本発明（請求項５記載発明）に係る表示装置１００において、連結構造の文字（連結構造でない文字を連結化（リンク体ｌｋにより連結すること）により、連結構造となった文字と、最初から連結構造の文字を連結化しなくてもそのままで連結構造である文字の両方を含む。）同士を連結化（リンク体ｌｋにより連結すること）により、形成された連結構造の形状にすることができることを示す図である。
［図８］図８は、本発明に係る無機ＥＬシートを備えた表示装置１００と従来技術であるＬＥＤを具備したネームプレート  （表示装置）の比較を示す図である。図８の上図が、本発明に係る面発光方式の無機ＥＬシートＥＬを備えた表示装置１００（表示装置１００）の発光状況を示す図である。図８の下図が、従来技術である点発光方式のＬＥＤを具備したネームプレート（表示装置）の発光状況を示す図である。
［図９］図９は、コントローラー部ＣＵのＵＳＢケーブル端子Ｕｔ及び出力端子Ｏｔ、電極端子Ｅｔ、無機ＥＬシートＥＬの表面電極層と裏面電極層が、それぞれ接続線により電気的に接続してなることを示す電気的接続図である。
［図１０］図１０は、（１）表示部Ｄｉｓ（ｚ＝δＥ〜δＥ＋δＤ）に記載された名前等Ｍｎが、Ｎｍ（ｘ，ｙ）と２次元表示されることを示すと共に、（２）表示部Ｄｉｓに記載された文名前等Ｎｍは、無機ＥＬシートＥＬ（ｚ＝０〜δＥにおいても、Ｎｍ（ｘ，ｙ）と二次元表示により表されると考えることを示し、（３）（２）のように考えることにより、無機ＥＬシートＥＬ（ｚ＝０〜δＥにおいて、と二次元表示により表されたＮｍ（ｘ，ｙ）に基づいて、無機ＥＬシートＥＬの形状ＦＧが決定されることを示す図である。
（Ａ）図は、本発明に係る上記構成要件の正面図である。（Ｂ）図は、本発明に係る上記構成要件の右側面図である。
［図１１］図１１は、本発明が解決しようとする第４課題に記載の定数η＝Ｓｆｇ／Ｓｎｍを説明する図面である。
（Ａ）図は、定数ηが小さい場合における説明図であり、（Ｂ）図は、定数ηが大きい場合における説明図である。
図面において、ネームプレートとあるのは、ネームプレート（表示装置）とする。
以下、本発明に係る表示装置１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の表示装置１００において、
ＵＳＢケーブル端子Ｕｔと、充電式リチウム電池Ｂａと、インバーターＩＶと、変圧器Ｔｒｓと出力端子Ｏｔからなるコントローラー部ＣＵと、名前等Ｎｍを表示した表示部Ｄｉｓと、表示部Ｄｉｓを背後から照らすバックライト部ＢＬとからなる表示装置１００において、
表示部Ｄｉｓが、光を透過する名前等Ｎｍと光を透過しない背景部Ｂｇからなり、バックライト部ＢＬが、無機ＥＬシートＥＬと無機ＥＬシートＥＬの表面電極層と裏面電極層と電気的に接続されてなる電極端子Ｅｔからなると共に、
無機ＥＬシートＥＬの形状ＦＧが名前等Ｎｍを内含するように形状ＦＧの無機ＥＬシートＥＬが表示部Ｄｉｓに張り合わされてなり、
ＵＳＢケーブル端子Ｕｔと充電式リチウム電池Ｂａ、充電式リチウム電池ＢａとインバーターＩＶ、インバーターＩＶと変圧器Ｔｒｓ、変圧器Ｔｒｓと出力端子Ｏｔとは、相互に接続線で電気的に接続されてなり、出力端子Ｏｔと電極端子Ｅｔとは接続線で電気的に接続されてなることを特徴とする表示装置１００が開示されている。
○第１の発明の効果
第１の発明によれば、
ＵＳＢケーブル端子Ｕｔと、充電式リチウム電池Ｂａと、インバーターＩＶと、変圧器Ｔｒｓと出力端子Ｏｔからなるコントローラー部ＣＵと、名前等Ｎｍを表示した表示部Ｄｉｓと、表示部Ｄｉｓを背後から照らすバックライト部ＢＬとからなる表示装置１００において、
表示部Ｄｉｓが、光を透過する名前等Ｎｍと光を透過しない背景部Ｂｇからなり、バックライト部ＢＬが、無機ＥＬシートＥＬと無機ＥＬシートＥＬの表面電極層と裏面電極層と電気的に接続されてなる電極端子Ｅｔからなると共に、
無機ＥＬシートＥＬの形状ＦＧが名前等Ｎｍを内含するように形状ＦＧの無機ＥＬシートＥＬが表示部Ｄｉｓに張り合わされてなり、
ＵＳＢケーブル端子Ｕｔと充電式リチウム電池Ｂａ、充電式リチウム電池ＢａとインバーターＩＶ、インバーターＩＶと変圧器Ｔｒｓ、変圧器Ｔｒｓと出力端子Ｏｔとは、相互に接続線で電気的に接続されてなり、出力端子Ｏｔと電極端子Ｅｔとは接続線で電気的に接続されてなることを特徴とする表示装置１００という特徴的な構成要件により、本発明が解決しようとする第１課題〜第４課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の表示装置１００において、
コントローラー部ＣＵが表示装置函体９９の内側に固定され、形状ＦＧの無機ＥＬシートＥＬが張り合わされた表示部Ｄｉｓが、表示装置函体９９の外側に固定されてなることを特徴とする請求項１に記載された表示装置１００が開示されている。
○第２の発明の効果
第２の発明によれば、
コントローラー部ＣＵが表示装置函体９９の内側に固定され、形状ＦＧの無機ＥＬシートＥＬが張り合わされた表示部Ｄｉｓが、表示装置函体９９の外側に固定されてなることという特徴的な構成要件により、本発明が解決しようとする第１課題〜第４課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の表示装置１００において、
無機ＥＬシートＥＬの形状ＦＧが、名前等Ｎｍを内含する矩形状の文字ボックスＭＢであることを特徴とする請求項１〜２の何れかに記載された表示装置１００が開示されている。
○第３の発明の効果
第３の発明によれば、
無機ＥＬシートＥＬの形状ＦＧが、名前等Ｎｍを内含する矩形状の文字ボックスＭＢであることという特徴的な構成要件により、本発明が解決しようとする第１課題〜第４課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の表示装置１００において、
無機ＥＬシートＥＬの形状ＦＧが、名前等Ｎｍが所属Ｎｍと名前Ｎｍに分けられる場合、それぞれ所属Ｎｍ及び名前Ｎｍを内含する２つの矩形状の文字ボックスＭＢと、２つの文字ボックスＭＢ同士を連結するリンク体ｌｋにより形成される形状であることを特徴とする請求項１〜３の何れかに記載された表示装置１００が開示されている。
○第４の発明の効果
第４の発明によれば、
無機ＥＬシートＥＬの形状ＦＧが、名前等Ｎｍが所属Ｎｍと名前Ｎｍに分けられる場合、それぞれ所属Ｎｍ及び名前Ｎｍを内含する２つの矩形状の文字ボックスＭＢと、２つの文字ボックスＭＢ同士を連結するリンク体ｌｋにより形成される形状であることという特徴的な構成要件により、本発明が解決しようとする第１課題〜第４課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の表示装置１００において、
名前等Ｎｍを構成する文字が、連結構造でない場合は、連結構造である文字要素同士をリンク体ｌｋにより連結して連結構造の文字を作成し、連結構造である場合は、そのままの文字とし、次に、隣接する連結構造の文字同士をリンク体ｌｋにより連結して連結構造の名前等とした場合において、
無機ＥＬシートＥＬの形状ＦＧが、名前等Ｎｍを構成する文字と連結構造の文字同士を連結したリンク体ｌｋと隣接する連結構造の文字同士を連結したリンク体ｌｋにより形成される形状であることを特徴とする請求項１〜４の何れかに記載された表示装置１００が開示されている。
○第５の発明の効果
第５の発明によれば、
名前等Ｎｍを構成する文字が、連結構造でない場合は、連結構造である文字要素同士をリンク体ｌｋにより連結して連結構造の文字を作成し、連結構造である場合は、そのままの文字とし、次に、隣接する連結構造の文字同士をリンク体ｌｋにより連結して連結構造の名前等とした場合において、
無機ＥＬシートＥＬの形状ＦＧが、名前等Ｎｍを構成する文字と連結構造の文字同士を連結したリンク体ｌｋと隣接する連結構造の文字同士を連結したリンク体ｌｋにより形成される形状であることという特徴的な構成要件により、本発明が解決しようとする第１課題〜第４課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の表示装置１００において、
表示部Ｄｉｓとバックライト部ＢＬは、表示装置函体９９から取り替え可能に設置されてなることを特徴とする請求項１〜５の何れかに記載された表示装置１００が開示されている。
○第６の発明の効果
第６の発明によれば、
表示部Ｄｉｓとバックライト部ＢＬは、表示装置函体９９から取り替え可能に設置されてなることという特徴的な構成要件により、本発明が解決しようとする第１課題〜第４課題を達成することができ、当業者予測不可能な顕著な効果を奏することができた。
７７７７７＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の表示装置１００において、
クリップ、又は、ストラップが取付けてなることを特徴とする請求項１〜６の何れかに記載された表示装置１００が開示されている。
○第７の発明の効果
第７の発明によれば、
クリップ、又は、ストラップが取付けてなることという特徴的な構成要件により、本発明が解決しようとする第１課題〜第４課題を達成することができ、当業者予測不可能な顕著な効果を奏することができた。
８８８８８＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の表示装置１００において、
ＵＳＢケーブル端子Ｕｔと、充電式リチウム電池Ｂａと、インバーターＩＶと、変圧器Ｔｒｓと出力端子Ｏｔからなるコントローラー部ＣＵと、名前等Ｎｍを表示した表示部Ｄｉｓと、表示部Ｄｉｓを背後から照らすバックライト部ＢＬとからなる表示装置１００において、
表示部Ｄｉｓが、光を透過しない名前等Ｎｍと光を透過する背景部Ｂｇからなり、バックライト部ＢＬが、無機ＥＬシートＥＬと無機ＥＬシートＥＬの表面電極層と裏面電極層と電気的に接続されてなる電極端子Ｅｔからなると共に、
無機ＥＬシートＥＬの形状ＦＧが名前等Ｎｍを内含するように形状ＦＧの無機ＥＬシートＥＬが表示部Ｄｉｓに張り合わされてなり、
ＵＳＢケーブル端子Ｕｔと充電式リチウム電池Ｂａ、充電式リチウム電池ＢａとインバーターＩＶ、インバーターＩＶと変圧器Ｔｒｓ、変圧器Ｔｒｓと出力端子Ｏｔとは、相互に接続線で電気的に接続されてなり、出力端子Ｏｔと電極端子Ｅｔとは接続線で電気的に接続されてなることを特徴とする表示装置１００が開示されている。
○第８の発明の効果
第８の発明によれば、
ＵＳＢケーブル端子Ｕｔと、充電式リチウム電池Ｂａと、インバーターＩＶと、変圧器Ｔｒｓと出力端子Ｏｔからなるコントローラー部ＣＵと、名前等Ｎｍを表示した表示部Ｄｉｓと、表示部Ｄｉｓを背後から照らすバックライト部ＢＬとからなる表示装置１００において、
表示部Ｄｉｓが、光を透過しない名前等Ｎｍと光を透過する背景部Ｂｇからなり、バックライト部ＢＬが、無機ＥＬシートＥＬと無機ＥＬシートＥＬの表面電極層と裏面電極層と電気的に接続されてなる電極端子Ｅｔからなると共に、
無機ＥＬシートＥＬの形状ＦＧが名前等Ｎｍを内含するように形状ＦＧの無機ＥＬシートＥＬが表示部Ｄｉｓに張り合わされてなり、
ＵＳＢケーブル端子Ｕｔと充電式リチウム電池Ｂａ、充電式リチウム電池ＢａとインバーターＩＶ、インバーターＩＶと変圧器Ｔｒｓ、変圧器Ｔｒｓと出力端子Ｏｔとは、相互に接続線で電気的に接続されてなり、出力端子Ｏｔと電極端子Ｅｔとは接続線で電気的に接続されてなることという特徴的な構成要件により、本発明が解決しようとする第１課題〜第４課題を達成することができ、当業者予測不可能な顕著な効果を奏することができた。
９９９９９＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の表示装置１００において、
コントローラー部ＣＵが表示装置函体９９の内側に固定され、形状ＦＧの無機ＥＬシートＥＬが張り合わされた表示部Ｄｉｓが、表示装置函体９９の外側に固定されてなることを特徴とする請求項８に記載された表示装置１００が開示されている。
○第９の発明の効果
第９の発明によれば、
コントローラー部ＣＵが表示装置函体９９の内側に固定され、形状ＦＧの無機ＥＬシートＥＬが張り合わされた表示部Ｄｉｓが、表示装置函体９９の外側に固定されてなることという特徴的な構成要件により、本発明が解決しようとする第１課題〜第４課題を達成することができ、当業者予測不可能な顕著な効果を奏することができた。
１０１０１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の表示装置１００において、
無機ＥＬシートＥＬの形状ＦＧが、名前等Ｎｍを内含する矩形状の文字ボックスＭＢであることを特徴とする請求項８〜９の何れかに記載された表示装置１００が開示されている。
○第１０の発明の効果
第１０の発明によれば、
無機ＥＬシートＥＬの形状ＦＧが、名前等Ｎｍを内含する矩形状の文字ボックスＭＢであることという特徴的な構成要件により、本発明が解決しようとする第１課題〜第４課題を達成することができ、当業者予測不可能な顕著な効果を奏することができた。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の表示装置１００において、
無機ＥＬシートＥＬの形状ＦＧが、名前等Ｎｍが所属Ｎｍと名前Ｎｍに分けられる場合、それぞれ所属Ｎｍ及び名前Ｎｍを内含する２つの矩形状の文字ボックスＭＢと、２つの文字ボックスＭＢ同士を連結するリンク体ｌｋにより形成される形状であることを特徴とする請求項８〜１０の何れかに記載された表示装置１００が開示されている。
○第１１の発明の効果
第１１の発明によれば、
無機ＥＬシートＥＬの形状ＦＧが、名前等Ｎｍが所属Ｎｍと名前Ｎｍに分けられる場合、それぞれ所属Ｎｍ及び名前Ｎｍを内含する２つの矩形状の文字ボックスＭＢと、２つの文字ボックスＭＢ同士を連結するリンク体ｌｋにより形成される形状であることという特徴的な構成要件により、本発明が解決しようとする第１課題〜第４課題を達成することができ、当業者予測不可能な顕著な効果を奏することができた。
１２１２１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の表示装置１００において、
表示部Ｄｉｓとバックライト部ＢＬは、表示装置函体９９から取り替え可能に設置されてなることを特徴とする請求項８〜１１の何れかに記載された表示装置１００が開示されている。
○第１２の発明の効果
第１２の発明によれば、
表示部Ｄｉｓとバックライト部ＢＬは、表示装置函体９９から取り替え可能に設置されてなることという特徴的な構成要件により、本発明が解決しようとする第１課題〜第４課題を達成することができ、当業者予測不可能な顕著な効果を奏することができた。
１３１３１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の表示装置１００において、
クリップ、又は、ストラップが取付けてなることを特徴とする請求項８〜１２の何れかに記載された表示装置１００が開示されている。
○第１３の発明の効果
第１３の発明によれば、
クリップ、又は、ストラップが取付けてなることという特徴的な構成要件により、本発明が解決しようとする第１課題〜第４課題を達成することができ、当業者予測不可能な顕著な効果を奏することができた。
【図面の簡単な説明】
【０００９】
【図１】図１は、本発明に係る表示装置１００を表す図である。（Ａ）図は、本発明に係る表示装置１００の正面図である。（Ｂ）図は、本発明に係る表示装置１００の右側面図である。（Ｃ）図は、（Ｂ）図のＡ−Ａ矢視図である。
【図２】図２は、本発明に係る無機ＥＬシートＥＬの積層構造を表す図である。  クリップ、又は、ストラップが取付けてなること
【図３】図３は、本発明に係るコントローラー部ＣＵのシステム構造を示す概要図である。
【図４】図４は、本発明（請求項３記載発明）に係る表示装置１００を表す図である。（Ａ）図は、本発明（請求項３記載発明）に係る表示装置１００の正面図である。（Ｂ）図は、本発明（請求項３記載発明）に係る表示装置１００の右側面図である。（Ｃ）図は、（Ｂ）図のＡ−Ａ矢視図である。
【図５】図５は、本発明（請求項４記載発明）に係る表示装置１００を表す図である。（Ａ）図は、本発明（請求項４記載発明）に係る表示装置１００の正面図である。（Ｂ）図は、本発明（請求項４記載発明）に係る表示装置１００の右側面図である。（Ｃ）図は、（Ｂ）図のＡ−Ａ矢視図である。
【図６】図６の左図は、本発明（請求項５記載発明）に係る表示装置１００において、連結構造でない文字の文字要素（連結構造の文字要素）同士を連結化（リンク体ｌｋにより連結すること）により、連結構造の文字にすることを示す図である。図６の右図は、本発明（請求項５記載発明）に係る表示装置１００において、最初から連結構造の文字を連結化しなくてもそのままで連結構造の文字であることを示す図である。図６は、連結化を前提とすれば、連結構造の文字として取り扱ってもよいことを示している。
【図７】図７は、本発明（請求項５記載発明）に係る表示装置１００において、連結構造の文字（連結構造でない文字を連結化（リンク体ｌｋにより連結すること）により、連結構造となった文字と、最初から連結構造の文字を連結化しなくてもそのままで連結構造である文字の両方を含む。）同士を連結化（リンク体ｌｋにより連結すること）により、形成された連結構造の形状にすることができることを示す図である。
【図８】図８は、本発明に係る無機ＥＬシートを備えた表示装置１００と従来技術であるＬＥＤを具備したネームプレート（表示装置）の比較を示す図である。図８の上図が、本発明に係る面発光方式の無機ＥＬシートＥＬを備えた表示装置１００（表示装置１００）の発光状況を示す図である。図８の下図が、従来技術である点発光方式のＬＥＤを具備したネームプレート（表示装置）の発光状況を示す図である。
【図９】図９は、コントローラー部ＣＵのＵＳＢケーブル端子Ｕｔ及び出力端子Ｏｔ、電極端子Ｅｔ、無機ＥＬシートＥＬの表面電極層と裏面電極層が、それぞれ接続線により電気的に接続してなることを示す電気的接続図である。
【図１０】図１０は、（１）表示部Ｄｉｓ（ｚ＝δＥ〜δＥ＋δＤ）に記載された名前等Ｍｎが、Ｎｍ（ｘ，ｙ）と２次元表示されることを示すと共に、（２）表示部Ｄｉｓに記載された文名前等Ｎｍは、無機ＥＬシートＥＬ（ｚ＝０〜δＥにおいても、Ｎｍ（ｘ，ｙ）と二次元表示により表されると考えることを示し、（３）（２）のように考えることにより、無機ＥＬシートＥＬ（ｚ＝０〜δＥにおいて、と二次元表示により表されたＮｍ（ｘ，ｙ）に基づいて、無機ＥＬシートＥＬの形状ＦＧが決定されることを示す図である。（Ａ）図は、本発明に係る上記構成要件の正面図である。（Ｂ）図は、本発明に係る上記構成要件の右側面図である。
【図１１】図１１は、本発明が解決しようとする第４課題に記載の定数η＝Ｓｆｇ／Ｓｎｍを説明する図面である。（Ａ）図は、定数ηが小さい場合における説明図であり、（Ｂ）図は、定数ηが大きい場合における説明図である。  図面において、ネームプレートとあるのは、ネームプレート（表示装置）とする。
【符号の説明】
【００１０】
Ｕｔ……ＵＳＢケーブル端子
Ｂａ……充電式リチウム電池
ＩＶ……インバーター
Ｔｒｓ……変圧器
Ｏｔ……出力端子
ＣＵ……コントローラー部
Ｄｉｓ……表示部
ＢＬ……バックライト部
１００……ネームプレート（表示装置）
Ｎｍ……名前等、所属、名前
Ｂｇ……背景部
ＥＬ……無機ＥＬシート
ＦＧ……無機ＥＬシートの形状
Ｅｔ……無機ＥＬシートの端子
９９……表示装置函体
ｌｋ……リンク体
ＭＢ……文字ボックス
δＤ……表示部Ｄｉｓの厚さ（ｍｍｍ）
δＥ……無機ＥＬシートＥＬの厚さ（ｍｍ）
【図１】
2019091635.tif 000003
【図２】
2019091635.tif 000004
【図３】
2019091635.tif 000005
【図４】
2019091635.tif 000006
【図５】
2019091635.tif 000007
【図６】
2019091635.tif 000008
【図７】
2019091635.tif 000009
【図８】
2019091635.tif 000010
【図９】
2019091635.tif 000011
【図１０】
2019091635.tif 000012
【図１１】
2019091635.tif 000013
【手続補正書】
【提出日】平成30年3月5日(2018.3.5)
【手続補正１】
【補正対象書類名】特許請求の範囲
【補正対象項目名】全文
【補正方法】変更
【補正の内容】
【特許請求の範囲】
【請求項１】
ＵＳＢケーブル端子Ｕｔと、充電式リチウム電池Ｂａと、インバーターＩＶと、変圧器Ｔｒｓと出力端子Ｏｔからなるコントローラー部ＣＵと、名前等Ｎｍを表示した表示部Ｄｉｓと、表示部Ｄｉｓを背後から照らすバックライト部ＢＬとからなるネームプレート１００において、
表示部Ｄｉｓが、光を透過する名前等Ｎｍと光を透過しない背景部Ｂｇからなり、バックライト部ＢＬが、無機ＥＬシートＥＬと無機ＥＬシートＥＬの表面電極層と裏面電極層と電気的に接続されてなる電極端子Ｅｔからなると共に、
無機ＥＬシートＥＬの形状ＦＧが名前等Ｎｍを内含するように形状ＦＧの無機ＥＬシートＥＬが表示部Ｄｉｓに張り合わされてなり、
ＵＳＢケーブル端子Ｕｔと充電式リチウム電池Ｂａ、充電式リチウム電池ＢａとインバーターＩＶ、インバーターＩＶと変圧器Ｔｒｓ、変圧器Ｔｒｓと出力端子Ｏｔとは、相互に接続線で電気的に接続されてなり、
名前等Ｎｍが、名前等Ｎｍを構成する連結構造でない文字を必ず含み、連結構造でない文字は、連結構造である文字要素同士をリンク体ｌｋにより連結して連結構造の文字とし、連結構造である文字は、そのままの文字とし、次に、隣接する連結構造の文字同士をリンク体ｌｋにより連結して連結構造の名前等とした場合において、
無機ＥＬシートＥＬの形状ＦＧが、名前等Ｎｍを構成する文字と連結構造の文字同士を連結したリンク体ｌｋと隣接する連結構造の文字同士を連結したリンク体ｌｋにより形成される形状であることを特徴とする請求項１〜４の何れかに記載されたネームプレート１００。
【請求項２】
コントローラー部ＣＵがネームプレート函体９９の内側に固定され、形状ＦＧの無機ＥＬシートＥＬが張り合わされた表示部Ｄｉｓが、ネームプレート函体９９の外側に固定されてなることを特徴とする請求項１に記載されたネームプレート１００。
【請求項３】
表示部Ｄｉｓとバックライト部ＢＬは、ネームプレート函体９９から取り替え可能に設置されてなることを特徴とする請求項１〜２の何れかに記載されたネームプレート１００。
【請求項４】
クリップ、又は、ストラップが取付けてなることを特徴とする請求項１〜３の何れかに記載されたネームプレート１００。
【手続補正２】
【補正対象書類名】明細書
【補正対象項目名】全文
【補正方法】変更
【補正の内容】
【発明の詳細な説明】
【技術分野】
【０００１】
本発明は、無機ＥＬシートを具備したネームプレートに関する。
【背景技術】
【０００２】
従来技術においては、例えば、ＬＥＤを具備したネームプレートが考えられるが、ＬＥＤは点発光しかできず、ギラギラした感じを与えるという欠点が指摘されていた（図８の下図）。
そこで、点発光方式のＬＥＤを具備したネームプレートのように、ギラギラした感じを与えない、名前等が記載された表示部と、バックライトとして高輝度の面発光が可能な無機ＥＬシートを備えたネームプレートの出現が期待されていた（図８の上図）。
そして、発明者は、名前等が記載された表示部と、バックライトとして無機ＥＬシートを用いる場合において、名前等Ｎｍ（名前等を構成する文字）の総面積をＳｎｍとし、無機ＥＬシートＥＬの形状ＦＧの総面積をＳｆｇとすると、定数η＝Ｓｆｇ／Ｓｎｍが大き過ぎる場合、無機ＥＬシートＥＬの発光エネルギーが無駄に費やされるという欠点があることに気が付いた。
無機ＥＬシートＥＬの発光エネルギーが無駄に費やされることにより無機ＥＬシートＥＬの充電式リチウム電池の消費エネルギーが費やされることになるので、無機ＥＬシートＥＬの充電式リチウム電池の寿命が短くなるという欠点があることに気が付いた。
【０００３】
発明者は、かかる従来技術の欠点に鑑み鋭意研究した結果、本発明を完成させた。
【先行技術文献】
【特許文献】
【０００４】
本願発明に係るネームプレートについて、ＦＩ、キーワード検索を行ったところ、本件発明（請求項１〜１３の何れかに記載された発明）に近い発明等記載文献は、発見されませんでしたので、特許文献の記載は省略する。
【発明の概要】
【発明が解決しようとする課題】
【０００５】
○本発明が解決しようとする第１課題
本発明が解決しようとする第１課題は、
点発光方式のＬＥＤを具備したネームプレートのように、ギラギラした感じを与えない、名前等が記載された表示部と、バックライトとして高輝度の面発光が可能な無機ＥＬシートを備えたネームプレートを提供することである。
○本発明が解決しようとする第２課題
本発明が解決しようとする第２課題は、
名前等が記載された表示部と、バックライトとして無機ＥＬシートを備えたネームプレートにおいて、無機ＥＬシートＥＬの発光エネルギーが無駄に費やさないような無機ＥＬシートを備えたネームプレートを提供することである。
○本発明が解決しようとする第３課題
本発明が解決しようとする第３課題は、
名前等が記載された表示部と、バックライトとして無機ＥＬシートを備えたネームプレートにおいて、無機ＥＬシートＥＬの発光エネルギーを無駄に費やされることを防止して、無機ＥＬシートＥＬの充電式リチウム電池の寿命を長くした無機ＥＬシートを備えたネームプレートを提供することである。
○本発明が解決しようとする第４課題
本発明が解決しようとする第４課題は、
名前等が記載された表示部と、バックライトとして無機ＥＬシートを備えたネームプレートにおいて、名前等を構成する文字の総面積をＳｎｍとし、無機ＥＬシートＥＬの形状ＦＧの総面積をＳｆｇとした時、定数η＝Ｓｆｇ／Ｓｎｍを小さくして極力１に近づけるようにした無機ＥＬシートを具備したネームプレートを提供することである（図１１）。
【課題を解決するための手段】
【０００６】
課題を解決するための手段は、本願の［特許請求の範囲］の各請求項に記載の発明である。
本意見書と同時に提出する手続補正書に行った補正について、
補正前の請求項を旧請求項といい、補正後の請求項を単に、請求項という。
旧請求項１を旧請求項５により限定した請求項を請求項１とし、
請求項１を旧請求項２により限定した請求項を請求項２とし、
請求項１を旧請求項６により限定した請求項を請求項３とし、
請求項１を旧請求項７により限定した請求項を請求項４とする。
特許請求の範囲、明細書、図面等の用語の解釈上の疑義を解消すべく、以下用語の説明を行うこととする。
＜統一的に適用されるｘｙｚ座標系の定義＞
本発明の記載において、本発明及び本発明の構成要件について、正面図、背面図、平面図、底面図、右側面図、左側面図は統一する。
本発明の記載において、本発明及び本発明の構成要件について、ｘｙｚ座標系（右手座標系）は統一的に適用される。
ここに、ｘ方向は、左側面から右側面へ向かう方向であり、ｙ方向は、底面から平面へ向かう方向（反重力方向）であり、ｚ方向は、背面から正面へ向かう方向である。
表示部Ｄｉｓの左下の点をｚｙ座標の０点とし（図１０（Ａ）図）、無機ＥＬシートＥＬの背面の点を、ｚ座標の０点とする（図１０（Ｂ））。
なお、正面を表面、背面を裏面ともいう（特に、無機ＥＬシートＥＬ）。
そして、表示部Ｄｉｓに記載された名前等Ｎｍ、無機ＥＬシートの形状ＦＧについては、ｘｙ座標で表される２次元平面で考えるものとする。
＜用語の説明＞
○輝度とは、光源のまぶしさを示す量。広がりをもつ光源の単位面積あたりの光度で表す。単位はカンデラ毎平方メートル。
○ＵＳＢケーブル端子Ｕｃとは、シリアル転送方式のひとつであるＵＳＢ規格の機器を接続するためのケーブルの端子をいう。ＵＳＢケーブルを利用して電源からの電力も供給できる。デジタルカメラとパソコン、あるいはプリンタを接続するときにも使用されていることが特徴である。
本発明においては、ＵＳＢケーブル端子Ｕｃは、ＵＳＢケーブルにより、接続することにより、電源からの電力も供給できる端子である。
○充電式リチウム電池Ｂａとは、何回でも充電して使用が可能なリチウム二次電池をいう。
ここに、リチウムイオン二次電池は、正極と負極の間をリチウムイオンが移動することで充電や放電を行う二次電池である。正極、負極、電解質それぞれの材料は用途やメーカーによって様々であるが、代表的な構成は、正極にリチウム遷移金属複合酸化物、負極に炭素材料、電解質に有機溶媒などの非水電解質を用いる。
○インバーターＩＶとは、直流（電流）を交流（電流）に変換する装置をいう。
一般に使用される電気は、電流、電圧がつねに一定の大きさをもつ直流と、その大きさが正弦波で変化する交流とがある。
この直流と交流の２種の電気を交互に変換する場合、交流から直流にする装置を整流器（あるいは順変換器、コンバーター）といい、直流から交流にする装置をインバーター（あるいは逆変換器）という。
○変圧器Ｔｒｓとは、二つのコイル間の相互誘導を利用し、交流電圧の昇降や交流電流の増減を行う装置をいう。
○出力端子Ｏｔとは、コントローラー部ＣＵの周期的な電圧を出力する端子をいう。
○コントローラー部ＣＵとは、ＵＳＢケーブル端子Ｕｔと、充電式リチウム電池Ｂａと、インバーターＩＶと、変圧器Ｔｒｓと出力端子Ｏｔから構成され、ＵＳＢケーブルを通じて、直流電流をＵＳＢケーブル端子Ｕｔから入力して、充電式リチウム電池Ｂａへ蓄電する。充電式リチウム電池Ｂａへ充電が完了すると、ＵＳＢケーブル端子ＵｔからＵＳＢケーブルを取り外しておき、充電式リチウム電池Ｂａへ蓄電した電力をインバーターＩＶへ送り、交流電流を生じさせ、生じた交流電流の電圧を変圧器Ｔｒｓにより上げて、周期的な電圧を出力端子Ｏｔから出力させる。
○名前等Ｎｍとは、表示部Ｄｉｓに記載された文字の集合体（和集合ともいう。）をいう。
名前等とは、姓、氏名、所属、肩書等を表示する字の集合体をいう。
例えば、名前等Ｎｍが所属Ｎｍと名前Ｎｍの和集合である場合が例示される。
本発明に係る名前等Ｎｍとは、表示部Ｄｉｓに記載された文字の集合体であって、ｘｙ座標で表された画像Ｎｍ（ｘ，ｙ）をいう。Ｎｍ（ｘ，ｙ）は、名前等Ｎｍを表す２次元画像をいう（図１０）。
したがって、名前等Ｎｍとは、名前等Ｎｍをｘｙ座標で表された２次元画像Ｎｍ（ｘ，ｙ）と同義である。
名前等Ｎｍとは、名前等Ｎｍをｘｙ座標で表された２次元画像Ｎｍ（ｘ，ｙ）のことをいうものとする。
○名前Ｎｍとは、本願においては、氏名、姓、名前の何れかをいう。
○表示部Ｄｉｓとは、名前等Ｎｍが記載された部分であって、無機ＥＬシートＥＬによって表示する部分をいう。
本発明に係る表示部Ｄｉｓは、光を透過する名前等Ｎｍと光を透過しない背景部Ｂｇから構成されている。
○バックライト部ＢＬとは、表示部Ｄｉｓを背後から照らす部分をいい、バックライト部ＢＬは、無機ＥＬシートＥＬからなり、無機ＥＬシートＥＬが表示部Ｄｉｓの光を透過する名前等Ｎｍを照らす。名前等Ｎｍを透過した光は名前等Ｎｍに着色された色の光を帯びる。
○ネームプレート１００とは、名前等を表示する道具であり、本発明に係るネームプレート１００とは、ＵＳＢケーブル端子Ｕｔと、充電式リチウム電池Ｂａと、インバーターＩＶと、変圧器Ｔｒｓと出力端子Ｏｔからなるコントローラー部ＣＵと、名前等Ｎｍを表示する表示部Ｄｉｓと、表示部Ｄｉｓを背後から照らすバックライト部ＢＬとから構成される。
○ネームプレート函体９９とは、コントローラー部ＣＵを内側に収納し固定すると共に、重ねあわされた表示部Ｄｉｓとバックライト部ＢＬを外側に固定するための箱体をいう。
○無機ＥＬ（無機エレクトロルミネセンス）とは、硫化亜鉛などの無機物に電圧を加えると発光する現象をいう。また、その技術あるいは発光体のことをいう。医療機器の表示部や液晶ディスプレーのバックライトなどに使用されている。
○無機ＥＬシートＥＬとは、保護層（ラミネート）、ＩＴＯ層（表面電極層、陽極）、発光層、誘電層、裏面電極層（陰極）、保護層からなる積層シートであり、ＩＴＯ層（表面電極層、陽極）と裏面電極層（陰極）に交流電圧を加えて発光させるものである。
ここに、ＩＴＯ層（表面電極層）とは、透明電極層ともいう。発光層で発光した光が、表面側に取り出されるためには、電極層も透明である必要が有るからである。
○無機ＥＬシートＥＬの形状ＦＧとは、無機ＥＬシートＥＬの形状をｘｙ座標で表した２次元画像ＦＧ（ｘ，ｙ）をいう。
そして、無機ＥＬシートＥＬは、無機ＥＬシートＥＬの形状ＦＧに切断されて、無機ＥＬシートＥＬの形状ＦＧが名前等Ｎｍを内含するように表示部Ｄｉｓに張り合されてなる。
（１）第１の発明（請求項１に記載された発明）の場合
無機ＥＬシートＥＬの形状ＦＧとは、表示部Ｄｉｓと略合同（小さめの相似）の矩形状の２次元画像ＦＧ（ｘ，ｙ）をいう。
無機ＥＬシートＥＬの形状ＦＧは、名前等Ｎｍの各文字を内含する形状をいう。
（２）第３の発明（請求項３に記載された発明）の場合
無機ＥＬシートＥＬの形状ＦＧが、名前等Ｎｍを内含する矩形状の文字ボックスＭＢである（図４）。
（３）第４の発明（請求項４に記載された発明）の場合
無機ＥＬシートＥＬの形状ＦＧが、名前等Ｎｍが所属Ｎｍと名前Ｎｍに分けられる場合、それぞれ所属Ｎｍ及び名前Ｎｍを内含する２つの矩形状の文字ボックスＭＢと、２つの文字ボックスＭＢ同士を連結するリンク体ｌｋにより形成される形状である（図５）。
（４）第５の発明（請求項５に記載された発明）の場合
名前等Ｎｍを構成する文字が、連結構造でない場合は、連結構造である文字要素同士をリンク体ｌｋにより連結して連結構造の文字を作成し、連結構造である場合は、そのままの文字とし、次に、隣接する連結構造の文字同士をリンク体ｌｋにより連結して連結構造の名前等とした場合において、
無機ＥＬシートＥＬの形状ＦＧが、名前等Ｎｍを構成する文字と連結構造の文字同士を連結したリンク体ｌｋと隣接する連結構造の文字同士を連結したリンク体ｌｋにより形成される形状である。（図６、図７）
○定数η＝Ｓｆｇ／Ｓｎｍについて
名前等Ｎｍを構成する文字の総面積をＳｎｍとし、無機ＥＬシートＥＬの形状ＦＧの総面積をＳｆｇとした時、定数η＝Ｓｆｇ／Ｓｎｍが大き過ぎる場合、無機ＥＬシートＥＬの発光エネルギーが無駄に費やされることになる。定数η＝Ｓｆｇ／Ｓｎｍを小さくして極力１に近づけるようにした無機ＥＬシートを具備したネームプレートを提供することである（本発明の第４課題）。
○電極端子Ｅｔとは、無機ＥＬシートＥＬの表面電極層と裏面電極層と接続線により電気的に接続されてなり、かつ、コントローラー部ＣＵの力端子Ｏｔと接続線により電気的に接続されてなることにより、コントローラー部ＣＵの周期的な電圧を無機ＥＬシートＥＬの表面電極層と裏面電極層に印加する端子をいう。
○名前等Ｎｍを内含する矩形状の文字ボックスＭＢとは、ボックスの内側に名前等Ｎｍが含まれている（記載されている）ような矩形状のボックスをいう。
ここに、名前等Ｎｍとは、名前等Ｎｍをｘｙ座標で表された２次元画像Ｎｍ（ｘ，ｙ）をいい、
矩形状の文字ボックスＭＢとは、矩形状の二次元画像ＭＢ（ｘ，ｙ）をいう。
名前等Ｎｍを内含する矩形状の文字ボックスＭＢとは、次式が成立することをいう。
Ｎｍ（ｘ，ｙ）⊆ＭＢ（ｘ，ｙ）……（１）式
○名前等Ｎｍが所属Ｎｍと名前Ｎｍに分けられる場合とは、所属と名前が、例えば、２段書きされた場合、それぞれ所属Ｎｍと名前Ｎｍとすれば、名前等Ｎｍを内含する矩形状の文字ボックスＭＢの考え方が、所属Ｎｍと名前Ｎｍのそれぞれについて、適用される。
２つの文字ボックスＭＢは、連結構造であるが、リンク体ｌｋにより、２つの文字ボックスＭＢ同士が連結されることにより、全体が連結構造となる。
ここに、名前等Ｎｍとは、名前等Ｎｍをｘｙ座標で表された２次元画像Ｎｍ（ｘ，ｙ）をいい、
所属Ｎｍとは、所属Ｎｍをｘｙ座標で表された２次元画像Ｎｍ（ｘ，ｙ）をいい、
名前Ｎｍとは、名前Ｎｍをｘｙ座標で表された２次元画像Ｎｍ（ｘ，ｙ）をいう。
矩形状の文字ボックスＭＢとは、矩形状の二次元画像ＭＢ（ｘ，ｙ）をいう。
所属Ｎｍを内含する矩形状の文字ボックスＭＢとは、次式が成立することをいう。
Ｎｍ（ｘ，ｙ）⊆ＭＢ（ｘ，ｙ）……（２）式
名前Ｎｍを内含する矩形状の文字ボックスＭＢとは、次式が成立することをいう。
Ｎｍ（ｘ，ｙ）⊆ＭＢ（ｘ，ｙ）……（３）式
○リンク体ｌｋとは、
（１）連結構造でない文字ボックスＭＢ同士を連結するためのリンク体をいう。
（２）連結構造の文字要素同士を連結するためのリンク体をいう。
（３）連結構造の文字同士を連結するためのリンク体をいう。
ここに、リンク体ｌｋは、文字ボックスＭＢ同士、文字要素同士、文字同士を連結するための二次元画像ｌｋ（ｘ，ｙ）をいう。
＜無機ＥＬシートＥＬにおける連結構造の定義＞
特定形状の無機ＥＬシートＥＬにおいて、表面電極層（ＩＴＯ電極層、陽極）と裏面電極（陰極）に電気的に接続される電極端子Ｅｔに電圧を付加した場合、特定形状の無機ＥＬシートＥＬの任意の点において一定の電圧が付加されるならば、無機ＥＬシートＥＬの特定形状は、連結構造であるという。
特定形状の無機ＥＬシートＥＬにおいて、電極層の任意の２点を選んで電池を接続した場合電流が流れるならば、無機ＥＬシートＥＬの特定形状は、連結構造であるという。
上記の２つの定義は同義である。
＜名前等Ｎｍにおける連結構造の定義＞
●２次元画像Ｇ（ｘ，ｙ）とは、Ｇなる概念をｘｙ座標で表した２次元画像をいう。
●２次元画像Ｇ１（ｘ，ｙ）とは、Ｇ１なる概念をｘｙ座標で表した２次元画像をいう。
●２次元画像Ｇ２（ｘ，ｙ）とは、Ｇ２なる概念をｘｙ座標で表した２次元画像をいう。
○ｘｙ座標で表された２次元画像Ｇ（ｘ，ｙ）が連結構造であるとは、２次元画像Ｇ（ｘ，ｙ）内に任意の点Ｐ１（ｘ１，ｙ１）とＰ２（ｘ２，ｙ２）を選んだ場合（点Ｐ１と点Ｐ２は同一の点ではない。）、点Ｐ１から点２へ至る通路を２次元画像Ｇ（ｘ，ｙ）内に選ぶことができるならば、２次元画像Ｇ（ｘ，ｙ）が連結構造であるという。
すなわち、ｘｙ座標で表された２次元画像Ｇ（ｘ，ｙ）を導電性の薄い平面版で作製した場合において、任意の点Ｐ１とＰ２間に電池を接続した場合電流が流れるならば、ｘｙ座標で表された２次元画像Ｇ（ｘ，ｙ）は、連結構造であるという。
○ｘｙ座標で表された２次元画像Ｇ（ｘ，ｙ）が連結構造でないとは、２次元画像Ｇ（ｘ，ｙ）内にある点Ｐ１（ｘ１，ｙ１）とあるＰ２（ｘ２，ｙ２）を選んだ場合（点Ｐ１と点Ｐ２は同一の点ではない。）、点Ｐ１から点２へ至る通路を２次元画像Ｇ（ｘ，ｙ）内に選ぶことができない場合をいう。
すなわち、ｘｙ座標で表された２次元画像Ｇ（ｘ，ｙ）を導電性の薄い平面版で作製した場合において、ある点Ｐ１とＰ２間に電池を接続した場合、電流が流れないならば、ｘｙ座標で表された２次元画像Ｇ（ｘ，ｙ）は、連結構造でないという。
○ｘｙ座標で表された２次元画像Ｇ１（ｘ，ｙ）とｘｙ座標で表された２次元画像Ｇ２，ｙ）連結構造であるとは、２次元画像Ｇ（ｘ，ｙ）内に任意の点Ｐ１（ｘ１，ｙ１）を選び、２次元画像Ｇ（ｘ，ｙ）内に任意のＰ２（ｘ２，ｙ２）を選んだ場合（点Ｐ１と点Ｐ２は同一の点ではない。）、
点Ｐ１から点２へ至る通路を２次元画像Ｇ１（ｘ，ｙ）と２次元画像Ｇ２（ｘ，ｙ）の和集合内に選ぶことができる場合をいう。
すなわち、ｘｙ座標で表された２次元画像Ｇ１（ｘ，ｙ）と２次元画像Ｇ２（ｘ，ｙ）を導電性の薄い平面版で作製した場合において、２次元画像Ｇ１（ｘ，ｙ）内の任意の点Ｐ１と２次元画像Ｇ２（ｘ，ｙ）内の任意のＰ２間に電池を接続した場合電流が流れる場合、ｘｙ座標で表された２次元画像Ｇ１（ｘ，ｙ）と２次元画像Ｇ１（ｘ，ｙ）は、連結構造であるという。
○ｘｙ座標で表された２次元画像Ｇ１（ｘ，ｙ）とｘｙ座標で表された２次元画像Ｇ２（ｘ，ｙ）が連結構造でないとは、２次元画像Ｇ（ｘ，ｙ）内に任意の点Ｐ１（ｘ１，ｙ１）を選び、２次元画像Ｇ（ｘ，ｙ）内に任意のＰ２（ｘ２，ｙ２）を選んだ場合（点Ｐ１と点Ｐ２は同一の点ではない。）、
点Ｐ１から点２へ至る通路を２次元画像Ｇ１（ｘ，ｙ）と２次元画像Ｇ２（ｘ，ｙ）の和集合内に選ぶことができないならば、２次元画像Ｇ１（ｘ，ｙ）と２次元画像Ｇ２（ｘ，ｙ）は連結構造でないという。
すなわち、ｘｙ座標で表された２次元画像Ｇ１（ｘ，ｙ）と２次元画像Ｇ２（ｘ，ｙ）を導電性の薄い平面版で作製した場合において、２次元画像Ｇ１（ｘ，ｙ）内の任意の点Ｐ１と２次元画像Ｇ２（ｘ，ｙ）内の任意の点Ｐ２間に電池を接続した場合電流が流れない２点Ｐ１、Ｐ２が存在する場合、２次元画像Ｇ１（ｘ，ｙ）と２次元画像Ｇ１（ｘ，ｙ）は連結構造でないという。
○名前等Ｎｍを構成する文字が、連結構造の文字である場合について
例えば、名前等Ｎｍ（例えば、「タイズ株式会社  林  敏朗」等のｘｙ座標で表された２次元画像Ｍｎ（ｘ，ｙ））を構成する文字（例えば、「イ」のｘｙ座標で表された２次元画像Ｇ（ｘ，ｙ）は、連結構造である。
○名前等Ｎｍを構成する文字が、連結構造の文字でない場合について
例えば、名前等Ｎｍ（例えば、「タイズ株式会社  林  敏朗」のｘｙ座標で表された２次元画像Ｍｎ（ｘ，ｙ））を構成する文字（例えば、「林」、「敏」、「朗」のｘｙ座標で表された２次元画像Ｇ（ｘ，ｙ）は、連結構造でない。
○文字１文字（ｘｙ座標で表される２次元画像））が連結構造でない場合、文字要素同士をリンク体ｌｋで連結して連結構造の文字にすることができることについて
連結構造でない文字（例えば、「林」の文字、「木」と「木」の文字要素は分離されている。）は、文字要素同士〈「木」と「木」〉をリンク体ｌｋ（ｘｙ座標で表される２次元画像））で連結して連結構造の文字（ｘｙ座標で表される２次元画像））にすることができる（図６の左側の図）。
○連結構造の文字（文字要素同士を連結化して連結構造の文字とした場合を含む。）を連結化して連結構造の名前等（ｘｙ座標で表される２次元画像）とすることについて
前述したように、名前等Ｎｍを構成する文字（ｘｙ座標で表される２次元画像）は、全て連結構造の文字（文字要素同士を連結化して連結構造の文字とした場合を含む。）とすることができる。
文字要素同士を連結化するリンク体ｌｋを付加された文字要素と考えれば、全ての文字は連結構造であると考えることができる。
連結構造である文字（ｘｙ座標で表される２次元画像）同士をリンク体ｌｋ（ｘｙ座標で表される２次元画像）で、連結すれば、連結構造の名前等Ｎｍ（ｘ，ｙ）とすることができる（図７）。
○文字を連結化して連結化した文字とし、連結化した文字を連結して、名前等とすることについて
名前等Ｎｍを構成する文字（ｘｙ座標で表される２次元画像）が、連結構造の文字でない場合は、連結構造である文字要素（ｘｙ座標で表される２次元画像）に分解することができ、文字要素同士をリンク体ｌｋ（ｘｙ座標で表される２次元画像）で連結して連結構造の文字（ｘｙ座標で表される２次元画像）にすることができ、
名前等Ｎｍを構成する文字（ｘｙ座標で表される２次元画像）が連結構造の文字である場合は、そのままで既に連結構造の文字となっており、名前等Ｎｍを構成する文字（ｘｙ座標で表される２次元画像）は全て連結構造の文字と取り扱うことができ、各連結構造の各文字（ｘｙ座標で表される２次元画像）をリンク体ｌｋ（ｘｙ座標で表される２次元画像）で連結すれば、連結構造の名前等（全体の文字）が形成される。
形成された連結構造の名前等（全体の文字）の形状（ｘｙ座標で表される２次元画像）は、名前等（ｘｙ座標で表される２次元画像）と文字要素（ｘｙ座標で表される２次元画像）同士を連結するリンク体ｌｋ（ｘｙ座標で表される２次元画像）と文字（ｘｙ座標で表される２次元画像）同士を連結するリンク体ｌｋ（ｘｙ座標で表される２次元画像）により形成された形状（ｘｙ座標で表される２次元画像）である。
すなわち、
形成された連結構造の名前等（全体の文字）の形状（ｘｙ座標で表される２次元画像）は、名前等（ｘｙ座標で表される２次元画像）と文字要素（ｘｙ座標で表される２次元画像）同士を連結するリンク体ｌｋと文字同士を連結するリンク体ｌｋ（ｘｙ座標で表される２次元画像）のそれぞれの形状の和集合である。
■形状ＦＧの無機ＥＬシートＥＬとは、連結構造の形状ＦＧの厚さδＥ（ｍｍ）の無機ＥＬシートＥＥＬの意味合いであり、連結構造の形状ＦＧに該当する部分は切断後除去されている。
＜記号の説明＞
○Ｎｍ（ｘ，ｙ）…名前等Ｎｍをｘｙ座標で表された２次元画像をいう。
○ＦＧ（ｘ，ｙ）…名前等Ｎｍをｘｙ座標で表された２次元画像をいう。
○ｌｋ（ｘ，ｙ）…リンク体をｘｙ座標で表される２次元画像をいう。
○画像Ｇ（ｘ，ｙ）とは、画像Ｇをｘｙ座標で表された２次元画像である。
画像Ｇ（ｘ，ｙ）が連結構造であるか否かの判定は、ＦＧ（ｘ，ｙ）、文字要素、文字、連結化された文字要素、連結化された文字、文字ボックスＭＢ（ｘ，ｙ）、連結化された文字ボックス等が連結構造であるか否かの判定に適用できる。
○画像Ｇ１（ｘ，ｙ）、画像Ｇ２（ｘ，ｙ）とは、共に画像Ｇ１、画像Ｇ２をｘｙ座標で表された２次元画像である。
画像Ｇ１（ｘ，ｙ）と画像Ｇ１（ｘ，ｙ）が連結構造であるか否かの判定は、文字要素同士、文字同士、文字ボックスＭＢ同士等が連結構造であるか否かの判定に適用できる。
＜請求項３記載発明の説明＞
請求項３記載発明の説明を図４に照らして具体的に説明する。
請求項３記載発明は、無機ＥＬシートＥＬの形状ＦＧを特定する意味で重要である。名前等Ｎｍは、タイズ株式会社／林  敏朗の２段書の全文字である。そして、矩形状の文字ボックスＭＢは、上記全文字を内含してなる。当該記述は、矩形状の文字ボックスＭＢと名前等Ｎｍとの幾何学的関係を示している。すなわち、矩形状の文字ボックスＭＢの大きさが、矩形状の文字ボックスＭＢが名前等Ｎｍの全文字を内含する大きさであることを示している。
そして、無機ＥＬシートＥＬは、矩形状の文字ボックスＭＢの形状になるよう切断されて、名前等Ｎｍの全文字を内含するように、表示部Ｄｉｓに張り合わされる。
＜請求項４記載発明の説明＞
請求項４記載発明の説明を図５に照らして具体的に説明する。
請求項４記載発明は、名前等Ｎｍが所属Ｎｍと名前Ｎｍに分けられる場合において、無機ＥＬシートＥＬの形状ＦＧを特定する意味で重要である。
名前等Ｎｍが所属Ｎｍと名前Ｎｍに分けられる場合、それぞれ所属Ｎｍ及び名前Ｎｍを、請求項３記載発明における名前等Ｎｍに置き換えれば、請求項３記載発明と同様にして、それぞれ所属Ｎｍ及び名前Ｎｍを内含する２つの矩形状の文字ボックスＭＢが特定される。
２つの文字ボックスＭＢは矩形状であり個々には連結構造であるが、全体としては上下に分離されるので連結構造ではない。２つの文字ボックスＭＢ同士を連結するリンク体ｌｋにより形成される形状は、連結構造となっている。
＜請求項５記載発明の説明＞
請求項５記載発明の説明を図６、７に照らして具体的に説明する。
請求項５記載発明は、本発明の第４課題を達成する場合において、無機ＥＬシートＥＬの形状ＦＧを特定する意味で重要である。
名前等Ｎｍを構成する文字が、連結構造でない場合は、連結構造である文字要素同士をリンク体ｌｋにより連結して連結構造の文字を作成することができ、連結構造である場合は、そのままの文字とすることができるので、名前等Ｎｍを構成する文字は全て連結構造の文字とすることができる。
次に、隣接する連結構造の文字同士を連結するリンク体ｌｋにより形成される形状である場合において、形成される形状は、連結構造の文字同士を連結することにより連結構造となっている。
そして、無機ＥＬシートＥＬは、上記、形成される形状になるよう切断されて、名前等Ｎｍの全文字を内含するように、表示部Ｄｉｓに張り合わされる。
＜請求項８記載発明の説明＞
請求項８記載発明の説明を図４に照らして具体的に説明する。
請求項８記載発明は、請求項１記載発明において、光を透過する名前等Ｎｍとあるのを光を透過する名前等Ｎｍとし、光を透過しない背景部Ｂｇとあるのを、光を透過する背景部Ｂｇとしたものであり、その余の発明構成要件は、請求項１記載発明の発明構成要件と同じである。
課題を解決するための手段は、本願の特許請求の範囲の各請求項に記載の発明であり、その具体的な解決手段は、以下の通りである。
○第１の発明（請求項１に記載の発明）
上記の課題を解決するための第１の発明（請求項１に記載の発明）は、
ＵＳＢケーブル端子Ｕｔと、充電式リチウム電池Ｂａと、インバーターＩＶと、変圧器Ｔｒｓと出力端子Ｏｔからなるコントローラー部ＣＵと、名前等Ｎｍを表示した表示部Ｄｉｓと、表示部Ｄｉｓを背後から照らすバックライト部ＢＬとからなるネームプレート１００において、
表示部Ｄｉｓが、光を透過する名前等Ｎｍと光を透過しない背景部Ｂｇからなり、バックライト部ＢＬが、無機ＥＬシートＥＬと無機ＥＬシートＥＬの表面電極層と裏面電極層と電気的に接続されてなる電極端子Ｅｔからなると共に、
無機ＥＬシートＥＬの形状ＦＧが名前等Ｎｍを内含するように形状ＦＧの無機ＥＬシートＥＬが表示部Ｄｉｓに張り合わされてなり、
ＵＳＢケーブル端子Ｕｔと充電式リチウム電池Ｂａ、充電式リチウム電池ＢａとインバーターＩＶ、インバーターＩＶと変圧器Ｔｒｓ、変圧器Ｔｒｓと出力端子Ｏｔとは、相互に接続線で電気的に接続されてなり、出力端子Ｏｔと電極端子Ｅｔとは接続線で電気的に接続されてなることを特徴とするネームプレート１００である。
○第２の発明（請求項２に記載の発明）
上記の課題を解決するための第２の発明（請求項２に記載の発明）は、
コントローラー部ＣＵがネームプレート函体９９の内側に固定され、形状ＦＧの無機ＥＬシートＥＬが張り合わされた表示部Ｄｉｓが、ネームプレート函体９９の外側に固定されてなることを特徴とする請求項１に記載されたネームプレート１００である。
○第３の発明（請求項３に記載の発明）
上記の課題を解決するための第３の発明（請求項３に記載の発明）は、
無機ＥＬシートＥＬの形状ＦＧが、名前等Ｎｍを内含する矩形状の文字ボックスＭＢであることを特徴とする請求項１〜２の何れかに記載されたネームプレート１００である。
○第４の発明（請求項４に記載の発明）
上記の課題を解決するための第４の発明（請求項４に記載の発明）は、
無機ＥＬシートＥＬの形状ＦＧが、名前等Ｎｍが所属Ｎｍと名前Ｎｍに分けられる場合、それぞれ所属Ｎｍ及び名前Ｎｍを内含する２つの矩形状の文字ボックスＭＢと、２つの文字ボックスＭＢ同士を連結するリンク体ｌｋにより形成される形状であることを特徴とする請求項１〜３の何れかに記載されたネームプレート１００である。
○第５の発明（請求項５に記載の発明）
上記の課題を解決するための第５の発明（請求項５に記載の発明）は、
名前等Ｎｍを構成する文字が、連結構造でない場合は、連結構造である文字要素同士をリンク体ｌｋにより連結して連結構造の文字を作成し、連結構造である場合は、そのままの文字とし、次に、隣接する連結構造の文字同士をリンク体ｌｋにより連結して連結構造の名前等とした場合において、
無機ＥＬシートＥＬの形状ＦＧが、名前等Ｎｍを構成する文字と連結構造の文字同士を連結したリンク体ｌｋと隣接する連結構造の文字同士を連結したリンク体ｌｋにより形成される形状であることを特徴とする請求項１〜４の何れかに記載されたネームプレート１００である。
○第６の発明（請求項６に記載の発明）
上記の課題を解決するための第６の発明（請求項６に記載の発明）は、
表示部Ｄｉｓとバックライト部ＢＬは、ネームプレート函体９９から取り替え可能に設置されてなることを特徴とする請求項１〜５の何れかに記載されたネームプレート１００である。
○第７の発明（請求項７に記載の発明）
上記の課題を解決するための第７の発明（請求項７に記載の発明）は、
クリップ、又は、ストラップが取付けてなることを特徴とする請求項１〜６の何れかに記載されたネームプレート１００である。
○第８の発明（請求項８に記載の発明）
上記の課題を解決するための第８の発明（請求項８に記載の発明）は、
ＵＳＢケーブル端子Ｕｔと、充電式リチウム電池Ｂａと、インバーターＩＶと、変圧器Ｔｒｓと出力端子Ｏｔからなるコントローラー部ＣＵと、名前等Ｎｍを表示した表示部Ｄｉｓと、表示部Ｄｉｓを背後から照らすバックライト部ＢＬとからなるネームプレート１００において、
表示部Ｄｉｓが、光を透過しない名前等Ｎｍと光を透過する背景部Ｂｇからなり、バックライト部ＢＬが、無機ＥＬシートＥＬと無機ＥＬシートＥＬの表面電極層と裏面電極層と電気的に接続されてなる電極端子Ｅｔからなると共に、
無機ＥＬシートＥＬの形状ＦＧが名前等Ｎｍを内含するように形状ＦＧの無機ＥＬシートＥＬが表示部Ｄｉｓに張り合わされてなり、
ＵＳＢケーブル端子Ｕｔと充電式リチウム電池Ｂａ、充電式リチウム電池ＢａとインバーターＩＶ、インバーターＩＶと変圧器Ｔｒｓ、変圧器Ｔｒｓと出力端子Ｏｔとは、相互に接続線で電気的に接続されてなり、出力端子Ｏｔと電極端子Ｅｔとは接続線で電気的に接続されてなることを特徴とするネームプレート１００である。
○第９の発明（請求項９に記載の発明）
上記の課題を解決するための第９の発明（請求項９に記載の発明）は、
コントローラー部ＣＵがネームプレート函体９９の内側に固定され、形状ＦＧの無機ＥＬシートＥＬが張り合わされた表示部Ｄｉｓが、ネームプレート函体９９の外側に固定されてなることを特徴とする請求項８に記載されたネームプレート１００である。
○第１０の発明（請求項１０に記載の発明）
上記の課題を解決するための第１０の発明（請求項１０に記載の発明）は、
無機ＥＬシートＥＬの形状ＦＧが、名前等Ｎｍを内含する矩形状の文字ボックスＭＢであることを特徴とする請求項８〜９の何れかに記載されたネームプレート１００である。
○第１１の発明（請求項１１に記載の発明）
上記の課題を解決するための第１１の発明（請求項１１に記載の発明）は、
無機ＥＬシートＥＬの形状ＦＧが、名前等Ｎｍが所属Ｎｍと名前Ｎｍに分けられる場合、それぞれ所属Ｎｍ及び名前Ｎｍを内含する２つの矩形状の文字ボックスＭＢと、２つの文字ボックスＭＢ同士を連結するリンク体ｌｋにより形成される形状であることを特徴とする請求項８〜１０の何れかに記載されたネームプレート１００である。
○第１２の発明（請求項１２に記載の発明）
上記の課題を解決するための第１２の発明（請求項１２に記載の発明）は、
表示部Ｄｉｓとバックライト部ＢＬは、ネームプレート函体９９から取り替え可能に設置されてなることを特徴とする請求項８〜１１の何れかに記載されたネームプレート１００である。
○第１３の発明（請求項１３に記載の発明）
上記の課題を解決するための第１３の発明（請求項１３に記載の発明）は、
クリップ、又は、ストラップが取付けてなることを特徴とする請求項８〜１２の何れかに記載されたネームプレート１００である。
【発明の効果】
【０００７】
本発明に係るネームプレート１００は、上記のような特徴的構成要件から構成され、特徴的構成要件に応じた、以下のような本願発明特有の効果を奏する。
また、上記の各発明に応じた、上記のような特徴的構成要件から構成されたネームプレート１００によれば、本願発明の課題を十分解消することができた。
○第１の発明の効果
第１の発明によれば、
ＵＳＢケーブル端子Ｕｔと、充電式リチウム電池Ｂａと、インバーターＩＶと、変圧器Ｔｒｓと出力端子Ｏｔからなるコントローラー部ＣＵと、名前等Ｎｍを表示した表示部Ｄｉｓと、表示部Ｄｉｓを背後から照らすバックライト部ＢＬとからなるネームプレート１００において、
表示部Ｄｉｓが、光を透過する名前等Ｎｍと光を透過しない背景部Ｂｇからなり、バックライト部ＢＬが、無機ＥＬシートＥＬと無機ＥＬシートＥＬの表面電極層と裏面電極層と電気的に接続されてなる電極端子Ｅｔからなると共に、
無機ＥＬシートＥＬの形状ＦＧが名前等Ｎｍを内含するように形状ＦＧの無機ＥＬシートＥＬが表示部Ｄｉｓに張り合わされてなり、
ＵＳＢケーブル端子Ｕｔと充電式リチウム電池Ｂａ、充電式リチウム電池ＢａとインバーターＩＶ、インバーターＩＶと変圧器Ｔｒｓ、変圧器Ｔｒｓと出力端子Ｏｔとは、相互に接続線で電気的に接続されてなり、出力端子Ｏｔと電極端子Ｅｔとは接続線で電気的に接続されてなることという特徴的な構成要件により、本発明が解決しようとする第１課題〜第４課題を達成することができ、当業者予測不可能な顕著な効果を奏することができた。
○第２の発明の効果
第２の発明によれば、
コントローラー部ＣＵがネームプレート函体９９の内側に固定され、形状ＦＧの無機ＥＬシートＥＬが張り合わされた表示部Ｄｉｓが、ネームプレート函体９９の外側に固定されてなることという特徴的な構成要件により、本発明が解決しようとする第１課題〜第４課題を達成することができ、当業者予測不可能な顕著な効果を奏することができた。
○第３の発明の効果
第３の発明によれば、
無機ＥＬシートＥＬの形状ＦＧが、名前等Ｎｍを内含する矩形状の文字ボックスＭＢであることという特徴的な構成要件により、本発明が解決しようとする第１課題〜第４課題を達成することができ、当業者予測不可能な顕著な効果を奏することができた。
○第４の発明の効果
第４の発明によれば、
無機ＥＬシートＥＬの形状ＦＧが、名前等Ｎｍが所属Ｎｍと名前Ｎｍに分けられる場合、それぞれ所属Ｎｍ及び名前Ｎｍを内含する２つの矩形状の文字ボックスＭＢと、２つの文字ボックスＭＢ同士を連結するリンク体ｌｋにより形成される形状であることという特徴的な構成要件により、本発明が解決しようとする第１課題〜第４課題を達成することができ、当業者予測不可能な顕著な効果を奏することができた。
○第５の発明の効果
第５の発明によれば、
名前等Ｎｍを構成する文字が、連結構造でない場合は、連結構造である文字要素同士をリンク体ｌｋにより連結して連結構造の文字を作成し、連結構造である場合は、そのままの文字とし、次に、隣接する連結構造の文字同士をリンク体ｌｋにより連結して連結構造の名前等とした場合において、
無機ＥＬシートＥＬの形状ＦＧが、名前等Ｎｍを構成する文字と連結構造の文字同士を連結したリンク体ｌｋと隣接する連結構造の文字同士を連結したリンク体ｌｋにより形成される形状であることという特徴的な構成要件により、本発明が解決しようとする第１課題〜第４課題を達成することができ、当業者予測不可能な顕著な効果を奏することができた。
○第６の発明の効果
第６の発明によれば、
表示部Ｄｉｓとバックライト部ＢＬは、ネームプレート函体９９から取り替え可能に設置されてなることという特徴的な構成要件により、本発明が解決しようとする第１課題〜第４課題を達成することができ、当業者予測不可能な顕著な効果を奏することができた。
○第７の発明の効果
第７の発明によれば、
クリップ、又は、ストラップが取付けてなることという特徴的な構成要件により、本発明が解決しようとする第１課題〜第４課題を達成することができ、当業者予測不可能な顕著な効果を奏することができた。
○第８の発明の効果
第８の発明によれば、
ＵＳＢケーブル端子Ｕｔと、充電式リチウム電池Ｂａと、インバーターＩＶと、変圧器Ｔｒｓと出力端子Ｏｔからなるコントローラー部ＣＵと、名前等Ｎｍを表示した表示部Ｄｉｓと、表示部Ｄｉｓを背後から照らすバックライト部ＢＬとからなるネームプレート１００において、
表示部Ｄｉｓが、光を透過しない名前等Ｎｍと光を透過する背景部Ｂｇからなり、バックライト部ＢＬが、無機ＥＬシートＥＬと無機ＥＬシートＥＬの表面電極層と裏面電極層と電気的に接続されてなる電極端子Ｅｔからなると共に、
無機ＥＬシートＥＬの形状ＦＧが名前等Ｎｍを内含するように形状ＦＧの無機ＥＬシートＥＬが表示部Ｄｉｓに張り合わされてなり、
ＵＳＢケーブル端子Ｕｔと充電式リチウム電池Ｂａ、充電式リチウム電池ＢａとインバーターＩＶ、インバーターＩＶと変圧器Ｔｒｓ、変圧器Ｔｒｓと出力端子Ｏｔとは、相互に接続線で電気的に接続されてなり、出力端子Ｏｔと電極端子Ｅｔとは接続線で電気的に接続されてなることという特徴的な構成要件により、本発明が解決しようとする第１課題〜第４課題を達成することができ、当業者予測不可能な顕著な効果を奏することができた。
○第９の発明の効果
第９の発明によれば、
クリップ、又は、ストラップが取付けてなることという特徴的な構成要件により、本発明が解決しようとする第１課題〜第４課題を達成することができ、当業者予測不可能な顕著な効果を奏することができた。
○第１０の発明の効果
第１０の発明によれば、
無機ＥＬシートＥＬの形状ＦＧが、名前等Ｎｍを内含する矩形状の文字ボックスＭＢであることという特徴的な構成要件により、本発明が解決しようとする第１課題〜第４課題を達成することができ、当業者予測不可能な顕著な効果を奏することができた。
○第１１の発明の効果
第１１の発明によれば、
無機ＥＬシートＥＬの形状ＦＧが、名前等Ｎｍが所属Ｎｍと名前Ｎｍに分けられる場合、それぞれ所属Ｎｍ及び名前Ｎｍを内含する２つの矩形状の文字ボックスＭＢと、２つの文字ボックスＭＢ同士を連結するリンク体ｌｋにより形成される形状であることという特徴的な構成要件により、本発明が解決しようとする第１課題〜第４課題を達成することができ、当業者予測不可能な顕著な効果を奏することができた。
○第１２の発明の効果
第１２の発明によれば、
表示部Ｄｉｓとバックライト部ＢＬは、ネームプレート函体９９から取り替え可能に設置されてなることという特徴的な構成要件により、本発明が解決しようとする第１課題〜第４課題を達成することができ、当業者予測不可能な顕著な効果を奏することができた。
○第１３の発明の効果
第１３の発明によれば、
クリップ、又は、ストラップが取付けてなることという特徴的な構成要件により、本発明が解決しようとする第１課題〜第４課題を達成することができ、当業者予測不可能な顕著な効果を奏することができた。
【発明を実施するための最良の形態】
【０００８】
以下、本発明に係る、ネームプレート１００に関する最良の実施形態について、図面を参照しながら説明する。
［図１］図１は、本発明に係るネームプレート１００を表す図である。（Ａ）図は、本発明に係るネームプレート１００の正面図である。（Ｂ）図は、本発明に係るネームプレート１００の右側面図である。（Ｃ）図は、（Ｂ）図のＡ−Ａ矢視図である。
［図２］図２は、本発明に係る無機ＥＬシートＥＬの積層構造を表す図である。
［図３］図３は、本発明に係るコントローラー部ＣＵのシステム構造を示す概要図である。
［図４］図４は、本発明（請求項３記載発明）に係るネームプレート１００を表す図である。（Ａ）図は、本発明（請求項３記載発明）に係るネームプレート１００の正面図である。（Ｂ）図は、本発明（請求項３記載発明）に係るネームプレート１００の右側面図である。（Ｃ）図は、（Ｂ）図のＡ−Ａ矢視図である。
［図５］図５は、本発明（請求項４記載発明）に係るネームプレート１００を表す図である。（Ａ）図は、本発明（請求項４記載発明）に係るネームプレート１００の正面図である。（Ｂ）図は、本発明（請求項４記載発明）に係るネームプレート１００の右側面図である。（Ｃ）図は、（Ｂ）図のＡ−Ａ矢視図である。
［図６］図６の左図は、本発明（請求項５記載発明）に係るネームプレート１００において、連結構造でない文字の文字要素（連結構造の文字要素）同士を連結化（リンク体ｌｋにより連結すること）により、連結構造の文字にすることを示す図である。図６の右図は、本発明（請求項５記載発明）に係るネームプレート１００において、最初から連結構造の文字を連結化しなくてもそのままで連結構造の文字であることを示す図である。図６は、連結化を前提とすれば、連結構造の文字として取り扱ってもよいことを示している。
［図７］図７は、本発明（請求項５記載発明）に係るネームプレート１００において、連結構造の文字（連結構造でない文字を連結化（リンク体ｌｋにより連結すること）により、連結構造となった文字と、最初から連結構造の文字を連結化しなくてもそのままで連結構造である文字の両方を含む。）同士を連結化（リンク体ｌｋにより連結すること）により、形成された連結構造の形状にすることができることを示す図である。
［図８］図８は、本発明に係る無機ＥＬシートを備えたネームプレート１００と従来技術であるＬＥＤを具備したネームプレートの比較を示す図である。図８の上図が、本発明に係る面発光方式の無機ＥＬシートＥＬを備えたネームプレート１００の発光状況を示す図である。図８の下図が、従来技術である点発光方式のＬＥＤを具備したネームプレートの発光状況を示す図である。
［図９］図９は、コントローラー部ＣＵのＵＳＢケーブル端子Ｕｔ及び出力端子Ｏｔ、電極端子Ｅｔ、無機ＥＬシートＥＬの表面電極層と裏面電極層が、それぞれ接続線により電気的に接続してなることを示す電気的接続図である。
［図１０］図１０は、（１）表示部Ｄｉｓ（ｚ＝δＥ〜δＥ＋δＤ）に記載された名前等Ｍｎが、Ｎｍ（ｘ，ｙ）と２次元表示されることを示すと共に、（２）表示部Ｄｉｓに記載された文名前等Ｎｍは、無機ＥＬシートＥＬ（ｚ＝０〜δＥにおいても、Ｎｍ（ｘ，ｙ）と二次元表示により表されると考えることを示し、（３）（２）のように考えることにより、無機ＥＬシートＥＬ（ｚ＝０〜δＥにおいて、と二次元表示により表されたＮｍ（ｘ，ｙ）に基づいて、無機ＥＬシートＥＬの形状ＦＧが決定されることを示す図である。
（Ａ）図は、本発明に係る上記構成要件の正面図である。（Ｂ）図は、本発明に係る上記構成要件の右側面図である。
［図１１］図１１は、本発明が解決しようとする第４課題に記載の定数η＝Ｓｆｇ／Ｓｎｍを説明する図面である。
（Ａ）図は、定数ηが小さい場合における説明図であり、（Ｂ）図は、定数ηが大きい場合における説明図である。
以下、本発明に係るネームプレート１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のネームプレート１００において、
ＵＳＢケーブル端子Ｕｔと、充電式リチウム電池Ｂａと、インバーターＩＶと、変圧器Ｔｒｓと出力端子Ｏｔからなるコントローラー部ＣＵと、名前等Ｎｍを表示した表示部Ｄｉｓと、表示部Ｄｉｓを背後から照らすバックライト部ＢＬとからなるネームプレート１００において、
表示部Ｄｉｓが、光を透過する名前等Ｎｍと光を透過しない背景部Ｂｇからなり、バックライト部ＢＬが、無機ＥＬシートＥＬと無機ＥＬシートＥＬの表面電極層と裏面電極層と電気的に接続されてなる電極端子Ｅｔからなると共に、
無機ＥＬシートＥＬの形状ＦＧが名前等Ｎｍを内含するように形状ＦＧの無機ＥＬシートＥＬが表示部Ｄｉｓに張り合わされてなり、
ＵＳＢケーブル端子Ｕｔと充電式リチウム電池Ｂａ、充電式リチウム電池ＢａとインバーターＩＶ、インバーターＩＶと変圧器Ｔｒｓ、変圧器Ｔｒｓと出力端子Ｏｔとは、相互に接続線で電気的に接続されてなり、出力端子Ｏｔと電極端子Ｅｔとは接続線で電気的に接続されてなることを特徴とするネームプレート１００が開示されている。
○第１の発明の効果
第１の発明によれば、
ＵＳＢケーブル端子Ｕｔと、充電式リチウム電池Ｂａと、インバーターＩＶと、変圧器Ｔｒｓと出力端子Ｏｔからなるコントローラー部ＣＵと、名前等Ｎｍを表示した表示部Ｄｉｓと、表示部Ｄｉｓを背後から照らすバックライト部ＢＬとからなるネームプレート１００において、
表示部Ｄｉｓが、光を透過する名前等Ｎｍと光を透過しない背景部Ｂｇからなり、バックライト部ＢＬが、無機ＥＬシートＥＬと無機ＥＬシートＥＬの表面電極層と裏面電極層と電気的に接続されてなる電極端子Ｅｔからなると共に、
無機ＥＬシートＥＬの形状ＦＧが名前等Ｎｍを内含するように形状ＦＧの無機ＥＬシートＥＬが表示部Ｄｉｓに張り合わされてなり、
ＵＳＢケーブル端子Ｕｔと充電式リチウム電池Ｂａ、充電式リチウム電池ＢａとインバーターＩＶ、インバーターＩＶと変圧器Ｔｒｓ、変圧器Ｔｒｓと出力端子Ｏｔとは、相互に接続線で電気的に接続されてなり、出力端子Ｏｔと電極端子Ｅｔとは接続線で電気的に接続されてなることを特徴とするネームプレート１００という特徴的な構成要件により、本発明が解決しようとする第１課題〜第４課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のネームプレート１００において、
コントローラー部ＣＵがネームプレート函体９９の内側に固定され、形状ＦＧの無機ＥＬシートＥＬが張り合わされた表示部Ｄｉｓが、ネームプレート函体９９の外側に固定されてなることを特徴とする請求項１に記載されたネームプレート１００が開示されている。
○第２の発明の効果
第２の発明によれば、
コントローラー部ＣＵがネームプレート函体９９の内側に固定され、形状ＦＧの無機ＥＬシートＥＬが張り合わされた表示部Ｄｉｓが、ネームプレート函体９９の外側に固定されてなることという特徴的な構成要件により、本発明が解決しようとする第１課題〜第４課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のネームプレート１００において、
無機ＥＬシートＥＬの形状ＦＧが、名前等Ｎｍを内含する矩形状の文字ボックスＭＢであることを特徴とする請求項１〜２の何れかに記載されたネームプレート１００が開示されている。
○第３の発明の効果
第３の発明によれば、
無機ＥＬシートＥＬの形状ＦＧが、名前等Ｎｍを内含する矩形状の文字ボックスＭＢであることという特徴的な構成要件により、本発明が解決しようとする第１課題〜第４課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のネームプレート１００において、
無機ＥＬシートＥＬの形状ＦＧが、名前等Ｎｍが所属Ｎｍと名前Ｎｍに分けられる場合、それぞれ所属Ｎｍ及び名前Ｎｍを内含する２つの矩形状の文字ボックスＭＢと、２つの文字ボックスＭＢ同士を連結するリンク体ｌｋにより形成される形状であることを特徴とする請求項１〜３の何れかに記載されたネームプレート１００が開示されている。
○第４の発明の効果
第４の発明によれば、
無機ＥＬシートＥＬの形状ＦＧが、名前等Ｎｍが所属Ｎｍと名前Ｎｍに分けられる場合、それぞれ所属Ｎｍ及び名前Ｎｍを内含する２つの矩形状の文字ボックスＭＢと、２つの文字ボックスＭＢ同士を連結するリンク体ｌｋにより形成される形状であることという特徴的な構成要件により、本発明が解決しようとする第１課題〜第４課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のネームプレート１００において、
名前等Ｎｍを構成する文字が、連結構造でない場合は、連結構造である文字要素同士をリンク体ｌｋにより連結して連結構造の文字を作成し、連結構造である場合は、そのままの文字とし、次に、隣接する連結構造の文字同士をリンク体ｌｋにより連結して連結構造の名前等とした場合において、
無機ＥＬシートＥＬの形状ＦＧが、名前等Ｎｍを構成する文字と連結構造の文字同士を連結したリンク体ｌｋと隣接する連結構造の文字同士を連結したリンク体ｌｋにより形成される形状であることを特徴とする請求項１〜４の何れかに記載されたネームプレート１００が開示されている。
○第５の発明の効果
第５の発明によれば、
名前等Ｎｍを構成する文字が、連結構造でない場合は、連結構造である文字要素同士をリンク体ｌｋにより連結して連結構造の文字を作成し、連結構造である場合は、そのままの文字とし、次に、隣接する連結構造の文字同士をリンク体ｌｋにより連結して連結構造の名前等とした場合において、
無機ＥＬシートＥＬの形状ＦＧが、名前等Ｎｍを構成する文字と連結構造の文字同士を連結したリンク体ｌｋと隣接する連結構造の文字同士を連結したリンク体ｌｋにより形成される形状であることという特徴的な構成要件により、本発明が解決しようとする第１課題〜第４課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のネームプレート１００において、
表示部Ｄｉｓとバックライト部ＢＬは、ネームプレート函体９９から取り替え可能に設置されてなることを特徴とする請求項１〜５の何れかに記載されたネームプレート１００が開示されている。
○第６の発明の効果
第６の発明によれば、
表示部Ｄｉｓとバックライト部ＢＬは、ネームプレート函体９９から取り替え可能に設置されてなることという特徴的な構成要件により、本発明が解決しようとする第１課題〜第４課題を達成することができ、当業者予測不可能な顕著な効果を奏することができた。
７７７７７＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のネームプレート１００において、
クリップ、又は、ストラップが取付けてなることを特徴とする請求項１〜６の何れかに記載されたネームプレート１００が開示されている。
○第７の発明の効果
第７の発明によれば、
クリップ、又は、ストラップが取付けてなることという特徴的な構成要件により、本発明が解決しようとする第１課題〜第４課題を達成することができ、当業者予測不可能な顕著な効果を奏することができた。
８８８８８＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のネームプレート１００において、
ＵＳＢケーブル端子Ｕｔと、充電式リチウム電池Ｂａと、インバーターＩＶと、変圧器Ｔｒｓと出力端子Ｏｔからなるコントローラー部ＣＵと、名前等Ｎｍを表示した表示部Ｄｉｓと、表示部Ｄｉｓを背後から照らすバックライト部ＢＬとからなるネームプレート１００において、
表示部Ｄｉｓが、光を透過しない名前等Ｎｍと光を透過する背景部Ｂｇからなり、バックライト部ＢＬが、無機ＥＬシートＥＬと無機ＥＬシートＥＬの表面電極層と裏面電極層と電気的に接続されてなる電極端子Ｅｔからなると共に、
無機ＥＬシートＥＬの形状ＦＧが名前等Ｎｍを内含するように形状ＦＧの無機ＥＬシートＥＬが表示部Ｄｉｓに張り合わされてなり、
ＵＳＢケーブル端子Ｕｔと充電式リチウム電池Ｂａ、充電式リチウム電池ＢａとインバーターＩＶ、インバーターＩＶと変圧器Ｔｒｓ、変圧器Ｔｒｓと出力端子Ｏｔとは、相互に接続線で電気的に接続されてなり、出力端子Ｏｔと電極端子Ｅｔとは接続線で電気的に接続されてなることを特徴とするネームプレート１００が開示されている。
○第８の発明の効果
第８の発明によれば、
ＵＳＢケーブル端子Ｕｔと、充電式リチウム電池Ｂａと、インバーターＩＶと、変圧器Ｔｒｓと出力端子Ｏｔからなるコントローラー部ＣＵと、名前等Ｎｍを表示した表示部Ｄｉｓと、表示部Ｄｉｓを背後から照らすバックライト部ＢＬとからなるネームプレート１００において、
表示部Ｄｉｓが、光を透過しない名前等Ｎｍと光を透過する背景部Ｂｇからなり、バックライト部ＢＬが、無機ＥＬシートＥＬと無機ＥＬシートＥＬの表面電極層と裏面電極層と電気的に接続されてなる電極端子Ｅｔからなると共に、
無機ＥＬシートＥＬの形状ＦＧが名前等Ｎｍを内含するように形状ＦＧの無機ＥＬシートＥＬが表示部Ｄｉｓに張り合わされてなり、
ＵＳＢケーブル端子Ｕｔと充電式リチウム電池Ｂａ、充電式リチウム電池ＢａとインバーターＩＶ、インバーターＩＶと変圧器Ｔｒｓ、変圧器Ｔｒｓと出力端子Ｏｔとは、相互に接続線で電気的に接続されてなり、出力端子Ｏｔと電極端子Ｅｔとは接続線で電気的に接続されてなることという特徴的な構成要件により、本発明が解決しようとする第１課題〜第４課題を達成することができ、当業者予測不可能な顕著な効果を奏することができた。
９９９９９＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のネームプレート１００において、
コントローラー部ＣＵがネームプレート函体９９の内側に固定され、形状ＦＧの無機ＥＬシートＥＬが張り合わされた表示部Ｄｉｓが、ネームプレート函体９９の外側に固定されてなることを特徴とする請求項８に記載されたネームプレート１００が開示されている。
○第９の発明の効果
第９の発明によれば、
コントローラー部ＣＵがネームプレート函体９９の内側に固定され、形状ＦＧの無機ＥＬシートＥＬが張り合わされた表示部Ｄｉｓが、ネームプレート函体９９の外側に固定されてなることという特徴的な構成要件により、本発明が解決しようとする第１課題〜第４課題を達成することができ、当業者予測不可能な顕著な効果を奏することができた。
１０１０１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のネームプレート１００において、
無機ＥＬシートＥＬの形状ＦＧが、名前等Ｎｍを内含する矩形状の文字ボックスＭＢであることを特徴とする請求項８〜９の何れかに記載されたネームプレート１００が開示されている。
○第１０の発明の効果
第１０の発明によれば、
無機ＥＬシートＥＬの形状ＦＧが、名前等Ｎｍを内含する矩形状の文字ボックスＭＢであることという特徴的な構成要件により、本発明が解決しようとする第１課題〜第４課題を達成することができ、当業者予測不可能な顕著な効果を奏することができた。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のネームプレート１００において、
無機ＥＬシートＥＬの形状ＦＧが、名前等Ｎｍが所属Ｎｍと名前Ｎｍに分けられる場合、それぞれ所属Ｎｍ及び名前Ｎｍを内含する２つの矩形状の文字ボックスＭＢと、２つの文字ボックスＭＢ同士を連結するリンク体ｌｋにより形成される形状であることを特徴とする請求項８〜１０の何れかに記載されたネームプレート１００が開示されている。
○第１１の発明の効果
第１１の発明によれば、
無機ＥＬシートＥＬの形状ＦＧが、名前等Ｎｍが所属Ｎｍと名前Ｎｍに分けられる場合、それぞれ所属Ｎｍ及び名前Ｎｍを内含する２つの矩形状の文字ボックスＭＢと、２つの文字ボックスＭＢ同士を連結するリンク体ｌｋにより形成される形状であることという特徴的な構成要件により、本発明が解決しようとする第１課題〜第４課題を達成することができ、当業者予測不可能な顕著な効果を奏することができた。
１２１２１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のネームプレート１００において、
表示部Ｄｉｓとバックライト部ＢＬは、ネームプレート函体９９から取り替え可能に設置されてなることを特徴とする請求項８〜１１の何れかに記載されたネームプレート１００が開示されている。
○第１２の発明の効果
第１２の発明によれば、
表示部Ｄｉｓとバックライト部ＢＬは、ネームプレート函体９９から取り替え可能に設置されてなることという特徴的な構成要件により、本発明が解決しようとする第１課題〜第４課題を達成することができ、当業者予測不可能な顕著な効果を奏することができた。
１３１３１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のネームプレート１００において、
クリップ、又は、ストラップが取付けてなることを特徴とする請求項８〜１２の何れかに記載されたネームプレート１００が開示されている。
○第１３の発明の効果
第１３の発明によれば、
クリップ、又は、ストラップが取付けてなることという特徴的な構成要件により、本発明が解決しようとする第１課題〜第４課題を達成することができ、当業者予測不可能な顕著な効果を奏することができた。
【図面の簡単な説明】
【０００９】
【図１】図１は、本発明に係るネームプレート１００を表す図である。（Ａ）図は、本発明に係るネームプレート１００の正面図である。（Ｂ）図は、本発明に係るネームプレート１００の右側面図である。（Ｃ）図は、（Ｂ）図のＡ−Ａ矢視図である。
【図２】図２は、本発明に係る無機ＥＬシートＥＬの積層構造を表す図である。  クリップ、又は、ストラップが取付けてなること
【図３】図３は、本発明に係るコントローラー部ＣＵのシステム構造を示す概要図である。
【図４】図４は、本発明（請求項３記載発明）に係るネームプレート１００を表す図である。（Ａ）図は、本発明（請求項３記載発明）に係るネームプレート１００の正面図である。（Ｂ）図は、本発明（請求項３記載発明）に係るネームプレート１００の右側面図である。（Ｃ）図は、（Ｂ）図のＡ−Ａ矢視図である。
【図５】図５は、本発明（請求項４記載発明）に係るネームプレート１００を表す図である。（Ａ）図は、本発明（請求項４記載発明）に係るネームプレート１００の正面図である。（Ｂ）図は、本発明（請求項４記載発明）に係るネームプレート１００の右側面図である。（Ｃ）図は、（Ｂ）図のＡ−Ａ矢視図である。
【図６】図６の左図は、本発明（請求項５記載発明）に係るネームプレート１００において、連結構造でない文字の文字要素（連結構造の文字要素）同士を連結化（リンク体ｌｋにより連結すること）により、連結構造の文字にすることを示す図である。図６の右図は、本発明（請求項５記載発明）に係るネームプレート１００において、最初から連結構造の文字を連結化しなくてもそのままで連結構造の文字であることを示す図である。図６は、連結化を前提とすれば、連結構造の文字として取り扱ってもよいことを示している。
【図７】図７は、本発明（請求項５記載発明）に係るネームプレート１００において、連結構造の文字（連結構造でない文字を連結化（リンク体ｌｋにより連結すること）により、連結構造となった文字と、最初から連結構造の文字を連結化しなくてもそのままで連結構造である文字の両方を含む。）同士を連結化（リンク体ｌｋにより連結すること）により、形成された連結構造の形状にすることができることを示す図である。
【図８】図８は、本発明に係る無機ＥＬシートを備えたネームプレート１００と従来技術であるＬＥＤを具備したネームプレートの比較を示す図である。図８の上図が、本発明に係る面発光方式の無機ＥＬシートＥＬを備えたネームプレート１００の発光状況を示す図である。図８の下図が、従来技術である点発光方式のＬＥＤを具備したネームプレートの発光状況を示す図である。
【図９】図９は、コントローラー部ＣＵのＵＳＢケーブル端子Ｕｔ及び出力端子Ｏｔ、電極端子Ｅｔ、無機ＥＬシートＥＬの表面電極層と裏面電極層が、それぞれ接続線により電気的に接続してなることを示す電気的接続図である。
【図１０】図１０は、（１）表示部Ｄｉｓ（ｚ＝δＥ〜δＥ＋δＤ）に記載された名前等Ｍｎが、Ｎｍ（ｘ，ｙ）と２次元表示されることを示すと共に、（２）表示部Ｄｉｓに記載された文名前等Ｎｍは、無機ＥＬシートＥＬ（ｚ＝０〜δＥにおいても、Ｎｍ（ｘ，ｙ）と二次元表示により表されると考えることを示し、（３）（２）のように考えることにより、無機ＥＬシートＥＬ（ｚ＝０〜δＥにおいて、と二次元表示により表されたＮｍ（ｘ，ｙ）に基づいて、無機ＥＬシートＥＬの形状ＦＧが決定されることを示す図である。（Ａ）図は、本発明に係る上記構成要件の正面図である。（Ｂ）図は、本発明に係る上記構成要件の右側面図である。
【図１１】図１１は、本発明が解決しようとする第４課題に記載の定数η＝Ｓｆｇ／Ｓｎｍを説明する図面である。（Ａ）図は、定数ηが小さい場合における説明図であり、（Ｂ）図は、定数ηが大きい場合における説明図である。
【符号の説明】
【００１０】
Ｕｔ……ＵＳＢケーブル端子
Ｂａ……充電式リチウム電池
ＩＶ……インバーター
Ｔｒｓ……変圧器
Ｏｔ……出力端子
ＣＵ……コントローラー部
Ｄｉｓ……表示部
ＢＬ……バックライト部
１００……ネームプレート
Ｎｍ……名前等、所属、名前
Ｂｇ……背景部
ＥＬ……無機ＥＬシート
ＦＧ……無機ＥＬシートの形状
Ｅｔ……無機ＥＬシートの端子
９９……ネームプレート函体
ｌｋ……リンク体
ＭＢ……文字ボックス
δＤ……表示部Ｄｉｓの厚さ（ｍｍｍ）
δＥ……無機ＥＬシートＥＬの厚さ（ｍｍ）
【手続補正書】
【提出日】平成30年4月11日(2018.4.11)
【手続補正１】
【補正対象書類名】特許請求の範囲
【補正対象項目名】全文
【補正方法】変更
【補正の内容】
【特許請求の範囲】
【請求項１】
ＵＳＢケーブル端子Ｕｔと、充電式リチウム電池Ｂａと、インバーターＩＶと、変圧器Ｔｒｓと出力端子Ｏｔからなるコントローラー部ＣＵと、名前等Ｎｍを表示した表示部Ｄｉｓと、表示部Ｄｉｓを背後から照らすバックライト部ＢＬとからなるネームプレート１００において、
表示部Ｄｉｓが、光を透過する名前等Ｎｍと光を透過しない背景部Ｂｇからなり、バックライト部ＢＬが、無機ＥＬシートＥＬと無機ＥＬシートＥＬの表面電極層と裏面電極層と電気的に接続されてなる電極端子Ｅｔからなると共に、
無機ＥＬシートＥＬの形状ＦＧが名前等Ｎｍを内含するように形状ＦＧの無機ＥＬシートＥＬが表示部Ｄｉｓに張り合わされてなり、
ＵＳＢケーブル端子Ｕｔと充電式リチウム電池Ｂａ、充電式リチウム電池ＢａとインバーターＩＶ、インバーターＩＶと変圧器Ｔｒｓ、変圧器Ｔｒｓと出力端子Ｏｔとは、相互に接続線で電気的に接続されてなり、
名前等Ｎｍが、名前等Ｎｍを構成する連結構造でない文字を必ず含み、連結構造でない文字は、連結構造である文字要素同士をリンク体ｌｋにより連結して連結構造の文字とし、連結構造である文字は、そのままの文字とし、次に、隣接する連結構造の文字同士をリンク体ｌｋにより連結して連結構造の名前等とし、
無機ＥＬシートＥＬの形状ＦＧが、名前等Ｎｍを構成する文字と連結構造の文字同士を連結したリンク体ｌｋと隣接する連結構造の文字同士を連結したリンク体ｌｋにより形成される形状であることを特徴とするネームプレート１００。
【請求項２】
コントローラー部ＣＵがネームプレート函体９９の内側に固定され、形状ＦＧの無機ＥＬシートＥＬが張り合わされた表示部Ｄｉｓが、ネームプレート函体９９の外側に固定されてなることを特徴とする請求項１に記載されたネームプレート１００。
【請求項３】
表示部Ｄｉｓとバックライト部ＢＬは、ネームプレート函体９９から取り替え可能に設置されてなることを特徴とする請求項１〜２の何れかに記載されたネームプレート１００。
【請求項４】
クリップ、又は、ストラップが取付けてなることを特徴とする請求項１〜３の何れかに記載されたネームプレート１００。